(57)【要約】排出濃度プロファイル、破過時間と、フィルタ・カートリッジ推奨とのうちの少なくとも一つを決定する方法及びシステムを開示する。その方法は、少なくとも一つの入力パラメータを受信し、その入力パラメータに基づいて、排出濃度プロファイルと、破過時間と、フィルタ・カートリッジ推奨とのうちの少なくとも一つを決定し、排出濃度プロファイルと、破過時間と、フィルタ・カートリッジ推奨とのうちの少なくとも一つをグラフ表示し、その排出濃度プロファイルは所定時間に亘る化学種の濃度のプロットからなり、破過時間は、化学種が所定の濃度でフィルタ・カートリッジ６００を通過する時間からなることを含む【選択図】図１【特許請求の範囲】
【請求項１】
排出濃度プロファイル、破過時間と、フィルタ・カートリッジ推奨とのうちの少なくとも一つを決定する方法であり
少なくとも一つの入力パラメータを受信し、
入力パラメータに基づいて、前記排出濃度プロファイルと、前記破過時間と、前記フィルタ・カートリッジ推奨とのうちの少なくとも一つを決定し、
前記排出濃度プロファイルと、前記破過時間と、前記フィルタ・カートリッジ推奨とのうちの少なくとも一つをグラフ表示し、その排出濃度プロファイルは所定時間に亘る化学種の濃度のプロットからなり、前記破過時間は、化学種が所定の濃度でフィルタ・カートリッジを通過する時間からなる方法。
【請求項２】
請求項１の方法において、前記受信する段階が、周囲圧力、周囲温度、相対湿度、呼気率、化学的汚染物質、化学的濃度、職業的被爆制限、ユーザーにより選択されたカートリッジと、カートリッジ選択パラメータのうちの一つ以上を受信する方法。
【請求項３】
請求項２の方法において、前記受信する段階が、呼吸器型式と粒子防護レベルとのうちの少なくとも一方を受信すると共に、
前記呼吸器型式及び粒子防護レベルのうちの少なくとも一つに基づいてユーザー選択カートリッジを決定することを含む方法。
【請求項４】
請求項２の方法において、前記カートリッジ選択パラメータが、最小耐用期間、快適性指標、価格、少なくとも一つの共通入力パラメータに基づくフィルタ・カートリッジ推奨の少なくとも一つの先行する決定による経験的な結果、フィルタ・カートリッジの現在の在庫、地域的フィルタ・カートリッジ条件、フィルタ・カートリッジの段階的減少の指標、及びフィルタ・カートリッジの段階的導入の指標を含む方法。
【請求項５】
請求項４の方法において、快適性指標は、フィルタ重量と吸気抵抗とのうちの少なくとも一方を含む方法。
【請求項６】
請求項１の方法において、前記決定段階が、前記入力パラメータの最小レベルが前記決定段階で受け取られたときのみに、前記排出濃度プロファイル、前記破過時間、前記フィルタ・カートリッジ推奨の少なくとも一つを決定する方法。
【請求項７】
請求項１の方法において、前記決定段階が、一つ以上の更なる入力パラメータを得ることを含み、その更なるパラメータは、前記受信段階で受け取られていないが、前記排出濃度プロファイル、前記破過時間、前記フィルタ・カートリッジ推奨の少なくとも一つを決定するために必要な少なくとも一つのパラメータを含む方法。
【請求項８】
請求項１の方法において、
前記入力パラメータに対する更新と新規に入力されたパラメータとのうちの少なくとも一方を受信し、
前記排出濃度プロファイル、前記破過時間、及び前記フィルタ・カートリッジ推奨のうちの少なくとも一つを更新して、更新された排出濃度プロファイル、更新された破過時間、及び更新されたフィルタ・カートリッジ推奨のちの少なくとも一つを前記更新と前記新規に入力されたパラメータとのうちの少なくとも一方に基づいて決定し、
前記、更新された排出濃度プロファイル、更新された破過時間、及び更新されたフィルタ・カートリッジ推奨のちの少なくとも一つを表示し、その排出濃度プロファイルは所定時間に亘る化学種の濃度のプロットからなり、前記破過時間は、化学種が所定の濃度でフィルタ・カートリッジを通過する時間からなる方法。
【請求項９】
請求項１の方法において、前記排出濃度プロファイルの決定は、前記濾床を通る前記化学種の破過波頭の位置の計算を含み、その位置は、前記破過波頭が前記濾床から旋回する旋回速度と、加速因子の指数を上げる時間とのうちの少なくとも一方の関数であり、その加速因子は、減速する旋回速度を有する破過波頭についてのものよりも小さく，且つ加速された旋回速度を有する破過波頭についてのものよりも大きい方法。
【請求項１０】
2011523572.tif 000016
【請求項１１】
請求項１の方法において、前記受信はセンサからの少なくとも一つの入力パラメータを受信することを含む方法。
【請求項１２】
排出濃度プロファイル、破過時間及びフィルタ・カートリッジ推奨のうちの少なくとも一つを決定するための指令の一つ以上のセットを包含するコンピュータ読取り可能な記憶媒体であって、
少なくとも一つの入力パラメータを受信するための指令と、
入力パラメータに基づいて前記排出濃度プロファイル、前記破過時間及び前記フィルタ・カートリッジ推奨のうちの少なくとも一つを決定する指令と、
前記排出濃度プロファイルと、前記破過時間と、前記フィルタ・カートリッジ推奨とのうちの少なくとも一つをグラフ表示する指令とを含み、その排出濃度プロファイルは所定時間に亘る化学種の濃度のプロットからなり、前記破過時間は、化学種が所定の濃度でフィルタ・カートリッジを通過する時間からなるコンピュータ読取り可能な記憶媒体。
【請求項１３】
請求項１２のコンピュータ読取り可能な記憶媒体において、前記受信する指令が、周囲圧力、周囲温度、相対湿度、呼気率、化学的汚染物質、化学的濃度、職業的被爆制限、ユーザーにより選択されたカートリッジと、カートリッジ選択パラメータのうちの一つ以上を受信するコンピュータ読取り可能な記憶媒体。
【請求項１４】
請求項１３のコンピュータ読取り可能な記憶媒体において、前記受信する指令が、呼吸器型式と粒子防護レベルとのうちの少なくとも一方を受信すると共に、
前記呼吸器型式及び粒子防護レベルのうちの少なくとも一つに基づいてユーザー選択カートリッジを決定することを含むコンピュータ読取り可能な記憶媒体。
【請求項１５】
請求項１３のコンピュータ読取り可能な記憶媒体において、前記カートリッジ選択パラメータが、最小耐用期間、快適性指標、価格、少なくとも一つの共通入力パラメータに基づくフィルタ・カートリッジ推奨の少なくとも一つの先行する決定による経験的な結果、フィルタ・カートリッジの現在の在庫、地域的フィルタ・カートリッジ条件、フィルタ・カートリッジの段階的減少の指標、及びフィルタ・カートリッジの段階的導入の指標を含むコンピュータ読取り可能な記憶媒体。
【請求項１６】
請求項１２のコンピュータ読取り可能な記憶媒体において、前記決定する指令が、前記入力パラメータの最小レベルが前記決定する段階で受信されたときのみに、前記排出濃度プロファイル、前記破過時間、前記フィルタ・カートリッジ推奨の少なくとも一つを決定するコンピュータ読取り可能な記憶媒体。
【請求項１７】
請求項１２のコンピュータ読取り可能な記憶媒体において、少なくとも一つの入力パラメータに基づいて、前記排出濃度プロファイル、前記破過時間、及び前記フィルタ・カートリッジ推奨のうちの少なくとも一つを更新する指令と、少なくとも前記更新された排出濃度プロファイル、更新された破過時間、及び更新されたフィルタ・カートリッジ推奨のちの少なくとも一つを表示する段階とを更に含むコンピュータ読取り可能な記憶媒体。
【請求項１８】
請求項１２のコンピュータ読取り可能な記憶媒体において、前記決定する指令は、前記濾床を通る前記化学種の破過波頭の位置を計算する指令を含み、その位置は、前記破過波頭が前記濾床から旋回する旋回速度と、加速因子の指数を上げる時間とのうちの少なくとも一方の関数であり、その加速因子は、減速する旋回速度を有する破過波頭についてのものよりも小さく，且つ加速された旋回速度を有する破過波頭についてのものよりも大きいコンピュータ読取り可能な記憶媒体。
【請求項１９】
請求項１２のコンピュータ読取り可能な記憶媒体において、前記受信はセンサからの少なくとも一つの入力パラメータを受信することを含むコンピュータ読取り可能な記憶媒体。
【請求項２０】
2011523572.tif 000017
【請求項２１】
排出濃度プロファイル、破過時間及びフィルタ・カートリッジ推奨のうちの少なくとも一つを決定するためのシステムであって、
少なくとも一つの入力パラメータを入力するように構成されたユーザー・インターフェースと、
前記ユーザー・インターフェースに交信可能に接続され、入力パラメータを受信し、その入力パラメータに基づいて、排出濃度プロファイル、破過時間及びフィルタ・カートリッジ推奨のうちの少なくとも一つを決定するプロセッサ・モジュールと、
前記プロセッサ・モジュールと交信可能に接続され、前記排出濃度プロファイルと、前記破過時間と、前記フィルタ・カートリッジ推奨とのうちの少なくとも一つをグラフ表示する出力デバイスとを備え、その排出濃度プロファイルは所定時間に亘る化学種の濃度のプロットからなり、前記破過時間は、化学種が所定の濃度でフィルタ・カートリッジを通過する時間からなるシステム。
【請求項２２】
請求項２１のシステムにおいて、周囲圧力、周囲温度、相対湿度、呼気率、化学的汚染物質、化学的濃度、職業的被爆制限、ユーザーにより選択されたカートリッジと、最小耐用期間、快適性指標、価格、少なくとも一つの共通入力パラメータに基づくフィルタ・カートリッジ推奨の少なくとも一つの先行する決定による経験的な結果、フィルタ・カートリッジの現在の在庫、地域的フィルタ・カートリッジ条件、フィルタ・カートリッジの段階的減少の指標、及びフィルタ・カートリッジの段階的導入の指標を含むシステム。
【請求項２３】
請求項２１のシステムにおいて、前記プロセッサ・モジュールは、前記入力パラメータに対する更新と新規に入力されたパラメータとのうちの少なくとも一方を受信し、前記排出濃度プロファイル、前記破過時間、及び前記フィルタ・カートリッジ推奨のうちの少なくとも一つを更新して、更新された排出濃度プロファイル、更新された破過時間、及び更新されたフィルタ・カートリッジ推奨のちの少なくとも一つを前記更新と前記新規に入力されたパラメータとのうちの少なくとも一方に基づいて決定するように構成されており、前記出力デバイスは、
前記更新された排出濃度プロファイル、前記更新された破過時間、及び前記更新されたフィルタ・カートリッジ推奨、排出濃度プロファイルのうちの少なくとも一つを表示するように構成されているシステム。
【請求項２４】
請求項２１のシステムにおいて、前記プロセッサ・モジュールは、前記濾床を通る前記化学種の破過波頭の位置の計算により前記排出濃度プロファイルを決定し、その位置は、前記破過波頭が前記濾床から旋回する旋回速度と、加速因子の指数を上げる時間とのうちの少なくとも一方の関数であり、その加速因子は、減速する旋回速度を有する破過波頭についてのものよりも小さく，且つ加速された旋回速度を有する破過波頭についてのものよりも大きいシステム。
【請求項２５】
請求項２１のシステムにおいて、前記プロセッサ・モジュールに交信可能に接続されており、そのセンサは少なくとも一つの入力パラメータをプロセッサ・モジュールへ交信するように構成されているシステム。
【発明の詳細な説明】
【関連出願の相互参照】
【０００１】
この出願は、係属中の米国仮特許出願第６１／０５７，５２２（「“５２２出願」）の優先権を主張している。”５２２出願は、２００９年５月３０日に出願され、その発明の名称は“Ｄｅｔｅｒｍｉｎｉｎｇ  Ｅｆｆｌｕｅｎｔ  Ｃｏｎｃｅｎｔｒａｔｉｏｎ  Ｐｒｏｆｉｌｅｓ  ａｎｄ  Ｓｅｒｖｉｃｅ  Ｌｉｖｅｓ  ｏｆ  Ａｉｒ  Ｐｕｌｒｉｆｙｉｎｇ  Ｃａｒｔｒｉｄｇｅｓ”（排出濃度プロファイル及び空気浄化呼吸用カートリッジの耐用期間の判定）である。”５２２出願の開示事項は、その全体が参照により本明細書に組み込まれている。
【発明の背景】
【０００２】
一般に本発明は、空気フィルタの耐用期間を判定するためのシステム及び方法に関し、更に詳しくは、空気浄化呼吸用カートリッジの耐用期間を計算するシステム及び方法に関する。
【０００３】
空気浄化呼吸用のフィルタ・カートリッジ又はそのフィルタ・カートリッジの濾床の耐用期間の判定は、アメリカ合衆国における法的な規制要件である。更に、空気浄化呼吸器の多くのユーザーにとっては、交換データ及び／又は推定耐用期間を知ることが望まれる。交換データは、例えば、空気浄化呼吸器のカートリッジをいつ交換、即ち新しいカートリッジと交換せねばならないかの予定を含む。推定された耐用期間の計算は、空気浄化呼吸器のカートリッジをどれくらい維持せねばならないかという判定を含んでもよい。交換データと耐用期間計算との両方は、カートリッジ及び呼吸器が使用された条件の入力の全部又は一部に基づくであろう。
【０００４】
空気浄化呼吸器のための交換データの判定及び耐用期間計算に用いられる公知の方法及びシステムは、幾つかの欠点を有している。例えば、公知のシステム及び方法は、フィルタ・カートリッジの廃出プロファイル、破過時間又は耐用期間のグラフ的出力を与えない。また、これらのシステム及び方法は、ユーザーからの動的変化入力に基づく廃出濃度プロファイル、破過時間又は耐用期間の動的計算を与えない。更に、破過時間又は耐用期間を判定するためのこれらのシステム及び方法の限界は、破過時間又は耐用期間が基礎を形成する数学的なモデルが、比較的に低い分子重量及び／又は低沸点を有する幾多の汚染物質を含む多くの汚染物質のために、破過時間又は耐用期間を正確に判定しないことである。
【０００５】
従って、空気浄化呼吸用カートリッジの交換データ及び耐用期間計算を判定するシステム及び方法であって、排出濃度プロファイルのグラフィック出力を与え、耐用期間計算の動的計算を可能とし、より正確なモデルに基づくシステム及び方法に対する要請がある。
【発明の概要】
【０００６】
一つの実施形態によれば、排出濃度プロファイル、破過時間、及び推奨されるフィルタ・カートリッジのうちの少なくとも一つを判定する方法は、少なくとも一つの入力パラメータを受信し、排出濃度プロファイル、破過時間、及び推奨されるフィルタ・カートリッジのうちの少なくとも一つを前記入力パラメータに基づいて判定し、排出濃度プロファイル、破過時間、及び推奨されるフィルタ・カートリッジのうちの少なくとも一つをグラフ的に表示することを含む。排出濃度プロファイルは経過時間に亘る化学種の濃度のプロットを含む。破過時間はフィルタ・カートリッジを通過する化学種の所定の濃度における時間を含む。
【０００７】
他の実施形態においては、コンピュータ読取り可能な記憶媒体は、排出濃度プロファイル、破過時間、及び推奨されるフィルタ・カートリッジのうちの少なくとも一つを判定する一組又はそれ以上の組の指令を含み、この指令の組は、少なくとも一つの入力パラメータを受信する指令と、排出濃度プロファイル、破過時間及び推奨されるフィルタ・カートリッジのうちの少なくとも一つを入力パラメータに基づいて判定する指令と、排出濃度プロファイル、破過時間及び推奨されるフィルタ・カートリッジのうちの少なくとも一つをグラフ的に表示する指令とを含む。排出濃度プロファイルは経過時間に亘る化学種の濃度のプロットを含む。破過時間はフィルタ・カートリッジを通過する化学種の所定の濃度の時間を含む。
【０００８】
他の実施形態においては、排出濃度プロファイル、破過時間、及び推奨されるフィルタ・カートリッジのうちの少なくとも一つを判定するシステムは、ユーザー・インターフェースと、プロセッサ・モジュールと、及び出力デバイスとを含む。プロセッサ・モジュールは、ユーザー・インターフェースへ交信可能に、且つ少なくとも一つの入力パラメータを受信するように接続されている。プロセッサ・モジュールは、入力パラメータに基づいて、排出濃度プロファイル、破過時間、及び推奨されるフィルタ・カートリッジのうちの少なくとも一つを判定する。出力デバイスは、プロセッサ・モジュールへ交信可能に接続されており、排出濃度プロファイル、破過時間、及び推奨されるフィルタ・カートリッジのうちの少なくとも一つをグラフ的に表示する。排出濃度プロファイルは、或る期間に亘る化学種の濃度のプロットを含む。破過時間は、フィルタ・カートリッジを通過する化学種の所定の濃度における時間を含む。
【図面の簡単な説明】
【０００９】
【図１】図１は一つの実施形態に係る排出濃度計算システムのブロック図である。
【図２】図２は、図１に示すシステムへ一つ以上のパラメータを入力して、ユーザーへ図１に示す出力を表示するのに用いられるグラフィカル・ユーザ・インタフェースの一つの実施形態である。
【図３】図３は、一つの実施形態により図１に示すシステムに一つ以上のパラメータを入力するのに用いられるグラフィカル・ユーザ・インタフェースの一つの実施形態である。
【図４】図４は、排出濃度プロファイル、破過時間、及び推奨されるフィルタ・カートリッジのうちの少なくとも一つを判定する方法のためのフローチャートである。
【図５】図５は、本明細書に説明される一つ以上の実施形態をコンピュータ読み取り可能媒体に記憶、配布、及びインストールし得る例示的な方法のブロック図である。
【図６】図６は例示的実施形態によりフィルタ・カートリッジの分解図である。
【本発明の詳細な説明】
【００１０】
上述の概要は、以下の本発明の特定の実施形態の詳細な説明のみならず、添付図面を斟酌して読めば、よりよく理解されよう。図面が様々な実施形態の機能的なブロックのブロック図を示すには限界があるため、機能的なブロックが必ずしもハードウェア回路の間の境界を示すというわけではない。従って、例えば、一つ以上の機能的なブロック（例えば、プロセッサ又はメモリ）をハードウェアの単独の構成要素（例えば、汎用信号プロセッサ又はランダム・アクセス・メモリ、ハードディスク、或いはその類）に実装してもよい。同様に、プログラムは独立型プログラムとしてもよく、オペレーティングシステム内にサブルーチンとして組み込んでもよく、インストール済みのソフトウェア・パッケージにおける機能などとしてもよい。様々な実施形態は図面に示す配置構成及び機器に限定されるものではないことに留意されたい。
【００１１】
本明細書で用いられるように用語「一つ（ａ又はａｎ）」を伴って単数で開始されるように列挙された要素又はステップは、特に除外することを断らない限り、それらの要素又はステップが複数の場合を除外するものではないことを了承されたい。更に、本発明の「一つの実施形態」を参照することは、列挙された特徴をやはり組み込んだ付加的な実施形態の存在を除外して解釈するように意図したものではない。また、相容れないことが明確に述べられていない限り、実施形態が一つの要素又は一つの特定の特徴を有する複数の要素を「備える」若しくは「有する」場合には、そのような特徴を有さないような付加的な要素をも含み得る。
【００１２】
一つ以上の実施形態は空気浄化呼吸器用のフィルタ・カートリッジに関連して説明されるが、本明細書に説明した実施形態は空気浄化呼吸器に限定されるものではないことに留意されたい。特に、一つ以上の実施形態は異なる形式の濾過システムに関連して実装してもよく、これは例えば建造物の空気濾過システムを含む。更に、一つ以上の実施形態はコンピュータデバイス又はシステムを用いて実施するように説明するが、本明細書に説明された実施形態はコンピュータに基づくシステム及び方法に限定されるものではない。特に、一つ以上の実施形態は非コンピュータに基づくデバイス及び方法に関連して実施される。例えば、一つの実施形態は、コンピュータに基づくシステムにユーザーにより入力された一つ以上のパラメータに基づいて、フィルタ・カートリッジの破過時間又は耐用期間を計算することを含むが、破過時間又は耐用期間は計算尺又は回転計算器を用いて計算してもよい。計算尺又は回転計算器は、様々な既知の入力に基づいて破過時間又は耐用期間を与えることができる。
【００１３】
情報を計算及び表示するシステム及び方法の例示的実施例について以下に詳細に説明する。特に、排出濃度プロファイル、破過時間、及び推奨されるフィルタ・カートリッジを動的に判定して表示するためのシステム及び方法の例の詳細な説明を与える。本明細書に説明された一つ以上の実施形態の技術的効果は、以下のうちの少なくとも一つを含む。即ち、破過時間のグラフィック表示及び／又はユーザーによる一つ以上のパラメータ入力に基づく排出濃度プロファイル、破過時間の動的調整及び／又はユーザーからの変更入力に基づく排出濃度プロファイル、ユーザーからの入力に基づくユーザーに対するフィルタ・カートリッジの推奨、及びユーザーからの変更入力に基づく推奨カートリッジ・フィルタの動的な変更である。
【００１４】
図６は、例示的実施形態によるフィルタ・カートリッジ６００の分解図である。フィルタ・カートリッジ６００は、濾床６０６を収容する上部及び下部ボディ６０２、６０４を含む。濾床６０６は、例えば、一つ以上の化学薬品を含浸させた活性炭を含んでもよい。複数の更なるフィルタ層６０８、６１０の各々は、活性炭の更なる層を含んでもよい。保持要素６１２、６１４は、フィルタ・カートリッジ６００内にフィルタ層６０８、６１０を保持し得る。スクリーン６１６は、フィルタ・カートリッジ６００を通過するエアゾール粒子を機械的に濾過する。密封要素６１８及び粘着剤６２０は、フィルタ・カートリッジ６００を組み立て状態で封止するために設けられている。作動時には、空気は下部ボディ６０４における吸気ポート６２２を通過して、フィルタ層６０８、６１０及び濾床６０６を通過する。空気がフィルタ層６０８、６１０及び濾床６０６を通過すると、空気中の一つ以上の化学的汚染物質は濾過若しくはフィルタ層６０８、６１０内の物質及び／又は濾床６０６に吸着されるであろう。濾過された空気は、続いてフィルタ・カートリッジ６００を通過して、上部ボディ６０２におけるポート６２４を通じてフィルタ・カートリッジ６００から出る。濾過された空気は、次いで、例えば一つ以上のチューブ又はパイプを経てユーザーへ伝わってもよい。濾床６０６の効果は、継続的な使用により低減する。例えば、るる汚染されている空気が濾床６０６を通過するか、及び／又は、より高濃度の化学的汚染物質が濾床６０６を通過するにつれて、濾床６０６は化学的汚染物質を濾過する効果が弱まっていく。最終的には、濾床６０６を通過する化学的汚染物質の濃度は、最大許容濃度を越えるであろう。このことが起こる時間は、フィルタ・カートリッジ６００の破過時間又は耐用期間と称される。このフィルタ・カートリッジ６００の破過時間又は耐用期間を経過したとすれば、フィルタ・カートリッジ６００は、ユーザーを化学的汚染物質から保護するためには、もはや用をなさないことがあり得る。
【００１５】
図１は、一つの実施形態による排出濃度計算システム１００のブロック図である。このシステム１００は、プロセッサ・モジュール１０２を含んでおり、このモジュールは、とりわけ、ユーザー・インターフェース１０６でユーザーからの入力１０４を受け取って、排出濃度プロファイル２０４（図２に示す）、破過時間２０６（図２に示す）、及びフィルタ・カートリッジ推奨２４０（図２に示す）のうちの少なくとも一つを判定する。排出濃度プロファイル２０４は、時間とともにフィルタ・カートリッジの濾床を通過する一つ以上の化学種の濃度のグラフ表示を含む。一つの実施形態においては、排出濃度プロファイル２０４は、時間に関して濾床６０６（図６に示す）の一端における一つ以上の化学種の濃度を表す。例えば、排出濃度プロファイル２０４は、フィルタ・カートリッジ６００（図６に示す）の上部ボディ６０２（図６に示す）におけるポート６２４（図６に示す）に最も近接する濾床６０６の端部における化学種の濃度を示す。このような例では、排出濃度プロファイル２０４は、フィルタ・カートリッジ６００のユーザーへフィルタ・カートリッジ６００を通過する化学種の近似的な濃度を表す。破過時間２０６は、所定の濃度の一つ以上の化学種が周囲環境からフィルタ・カートリッジを突破して、フィルタ・カートリッジのユーザーへ到達する時間を含む。フィルタ・カートリッジ推奨２４０は、ユーザーによって規定された基準に基づいて、このユーザーに対して推奨される一つ以上のフィルタ・カートリッジを含む。
【００１６】
他の実施形態においては、プロセッサ・モジュール１０２はユーザー・インターフェース１０６にてユーザーからの入力１０４を受け取って、ベッド（ｂｅｄ）・プロファイルを決定する。ベッド・プロファイルは、濾床６０６（図６に示す）における所定位置についての濾床６０６（図６に示す）における一つ以上の化学種の濃度のグラフ表示である。例えば、ベッド・プロファイルは、所定の時刻に濾床６０６の厚さ方向における様々な位置についての濾床６０６における化学種の濃度をグラフで示してもよい。プロセッサ・モジュール１０２は、一つの実施形態における多様な時間についてのベッド・プロファイルを決定する。次いで、濾床６０６を通過する化学種の移動は、期間を増加するときにプロセッサ・モジュール１０２により発生する複数のベッド・プロファイルを比較することにより視覚化してもよい。
【００１７】
プロセッサ・モジュール１０２とユーザー・インターフェース１０６とは、有線、無線又はネットワーク（例えば、ＬＡＮ、ＷＡＮ、インターネット又はイントラネット）接続のうちの一つ以上を通じて互いに直接に又は間接的に交信可能に接続されている。ユーザー・インターフェース１０６は、一つ以上の入力パラメータの交信、及びプロセッサ・モジュール１０２への入力１０４として入力パラメータの交信をなすことが可能なデバイス、システム又は装置を含む。例えば、ユーザー・インターフェース１０６としては、キーボード、マウス、スタイラス、タッチ感知スクリーン、マイクロフォンなどのうちの一つ以上を含むことができる。他の例では、ユーザー・インターフェース１０６は、独立型コンピュータ関連デバイス、例えばＰＣ、ラップトップ・コンピュータ、スマートフォンなどを含む。一つの実施形態においては、プロセッサ・モジュール１０２とユーザー・インターフェース１０６とは、一つ以上のネットワーク接続（インターネットを含む）を通じて互いに交信する。例えば、システム１００は、ユーザー・インターフェース１０６としてウェブ・ブラウザを採用するインターネットに基づくシステムとしてもよい。
【００１８】
図示した実施形態において、プロセッサ・モジュール１０２はコンピュータ読取り可能な記憶媒体１１０に交信可能に接続される。コンピュータ読取り可能な記憶媒体１１０としては、データを記憶することができる一つ以上のコンピュータ読取り可能メモリ（例えばハード・ドライブ、ＲＡＭ、ＲＯＭ、フラッシュメモリ、ＣＤドライブ、ＤＶＤドライブなど）が挙げられる。コンピュータ読取り可能な記憶媒体１１０は、有線、無線又はネットワーク（例えば、ＬＡＮ、ＷＡＮ、インターネット、又はイントラネット）接続のうちの一つ以上を経由して、プロセッサ・モジュール１０２と直接又は間接的に通信するようにしてもよい。他の実施形態においては、複数のコンピュータ読取り可能な記憶媒体がプロセッサ・モジュール１０２へ交信可能に接続される。例えば、更なるコンピュータ読取り可能な記憶媒体１１２をプロセッサ・モジュール１０２へ交信可能に接続してもよい。コンピュータ読取り可能な記憶媒体１１２は、一つ以上のパラメータを記憶するデータ・ベース１１４を包含してもよく、その一つ以上のパラメータは、排出濃度プロファイル２０４（図２に示す）、破過時間（図２に示す）、及びフィルタ・カートリッジ推奨２４０（図２に示す）のうちの少なくとも一つを決定するためにプロセッサ・モジュール１０２により利用可能である。
【００１９】
プロセッサ・モジュール１０２は、出力デバイス１０８に交信可能に接続される。出力デバイス１０８は、デバイス、システム又は装置を含み、これらのデバイス、システム又は装置は、排出濃度プロファイル２０４、破過時間２０６、フィルタ推奨２４０、ベッド・プロファイル及び／又は排出濃度プロファイル２０４と、破過時間２０６と、フィルタ推奨２４０と、及び／又はベッド・プロファイルとを表すデータを受信すると共に、これらをユーザーへ提示することができる。例えば、出力デバイス１０８としては、ＣＲＴディスプレイ、プリンター、携帯型ディスプレイ・ユニット（例えばパームパイロット（Ｐａｌｍ  Ｐｉｌｏｔ）、携帯電話、ブラックベリーなど）、コンピュータ・メモリ、液晶画面などが挙げられる。一つの実施形態において、プロセッサ・モジュール１０２と出力デバイス１０８とは、一つ以上のネットワーク接続（インターネットを含む）を通じて互いに交信する。例えば、システム１００は、出力デバイス１０８としてウェブ・ブラウザを採用するインターネットに基づくシステムとしてもよい。プロセッサ・モジュール１０２は、排出濃度プロファイル２０４、破過時間２０６、フィルタ・カートリッジ推奨２４０、及び／又はそれらを表すデータを出力１２０として出力デバイス１０８へ伝える。一つの実施形態においては、複数のプロセッサ・モジュール１０２、ユーザー・インターフェース１０６及び出力デバイス１０４は、システム１００の構成要素とは物理的に離間している。或いは、複数のプロセッサ・モジュール１０２、ユーザー・インターフェース１０６及び出力デバイス１０４は、単独の構成要素に一体化される。例えば、プロセッサ・モジュール１０２と出力デバイス１０４とは、空気呼吸器内に収納された一つ以上のマイクロプロセッサーとＬＣＤスクリーンとして設けてもよい。
【００２０】
一つの実施形態において、プロセッサ・モジュール１０２は能動的センサ１１６に交信可能に接続される。能動的センサ１１６としては、一つ以上のパラメータに関連するデータを感知又は測定するように構成された電源付きデバイスが挙げられる。データ又はパラメータは、排出濃度プロファイル２０４、破過時間２０６，及びフィルタ・カートリッジ推奨２４０のうちの少なくとも一つを決定するために、プロセッサ・モジュール１０２によって利用可能である。ロセッサ・モジュール１０２と能動的センサ１１６とは、有線、無線又はネットワーク（例えばＬＡＮ、ＷＡＮ、インターネット又はイントラネット）のうちの一つ以上を経由して、直接又は間接的に接続してもよい。能動的センサ１１６は、測定若しくは感知されたデータをプロセッサ・モジュール１０２へ入力１２２として積極的に報告し得る。例えば、能動的センサ１１６は、プロセッサ・モジュール１０２へ入力１２２としてパラメータを交信することができる電源付きセンサとしてもよい。
【００２１】
一つの実施形態において、プロセッサ・モジュール１０２は受動的センサ１１８へ交信可能に接続される。受動的センサ１１８としては、一つ以上のパラメータに関連するデータを感知するように構成された電源無しデバイスが挙げられる。データ又はパラメータは、排出濃度プロファイル２０４、破過時間２０６、及びフィルタ・カートリッジ推奨２４０のうちの少なくとも一つを決定するために、プロセッサ・モジュール１０２によって利用可能である。プロセッサ・モジュール１０２と受動的センサ１１８とは、有線、無線又はネットワーク（例えばＬＡＮ、ＷＡＮ、インターネット又はイントラネット）接続のうちの一つ以上を経由して、直接又は間接的に接続してもよい。プロセッサ・モジュール１０２は、受動的センサ１１８からの入力１２４としてのデータ又はパラメータを測定してもよい。
【００２２】
プロセッサ・モジュール１０２は、推奨フィルタ・カートリッジ補助モジュール１２６、排出濃度プロファイル補助モジュール１２８、破過時間補助モジュール１３０、及び出力補助モジュール１３２を含めて、複数の補助モジュールを包含する。プロセッサ・モジュール１０２は、補助モジュール１２６乃至１３２の一群として概念的に図示してあるが、専用のハードウェア・ボード、複数のＤＰＳ、複数のプロセッサなどの任意の組合せを利用して実装してもよい。或いは、プロセッサ・モジュール１０２及び／又は補助モジュール１２６乃至１３２は、単独のプロセッサ又は複数のプロセッサを有する市販のＰＣを利用して、プロセッサの間に機能的動作を分配するように実装してもよい。更なる選択肢として、補助モジュール１２６乃至１３２は、特定のモジュラー機能が専用のハードウェアを利用して実行され、残りのモジュラー機能は市販のＰＣ等を利用して実行する混成構成を利用して実装してもよい。また、補助モジュール１２６乃至１３２は、処理装置内のソフトウェアとして実装してもよい。
【００２３】
補助モジュール１２６乃至１３２の動作は、プロセッサ・モジュール１０２により制御し得る。例えば、補助モジュール１２６乃至１３２は、中央のプロセッサ動作を実行する。推奨フィルタ・カートリッジ補助モジュール１２６は、入力パラメータ（後述する）、利用可能なフィルタ／カートリッジの任意のリスト、テーブル、データ・ベース等のアクセスのうちの一つ以上を受け取って、入力パラメータに基づいてリスト内の利用可能なフィルタ・カートリッジを推奨する。例えば、ユーザーは、後述する一つ以上の入力パラメータとして、フィルタ・カートリッジについての幾つかの基準を入力してもよい。推奨フィルタ・カートリッジ補助モジュール１２６は、これらの基準を受け取って、全ての潜在的フィルタ・カートリッジのリストを絞り込む。これらの基準と残りのフィルタ・カートリッジとに基づいて、推奨フィルタ・カートリッジ補助モジュール１２６は、ユーザーに推奨する一つ以上のフィルタ・カートリッジを選択する。推奨する可能性があるフィルタ・カートリッジの初期リストは、コンピュータ読取り可能な記憶媒体１１０、１１２の一つ以上に記憶させてもよい。
【００２４】
排出濃度プロファイル（「ＥＣＰ」）補助モジュール１２８は一つ以上の入力パラメータ（後述する）を受け取って、排出濃度プロファイル若しくは曲線２０４（図２に示す）及び／又はベッド・プロファイルを計算する。例えば、ユーザーは一つ以上の濃度の一つ以上の化学的汚染物質を伴う環境におけるフィルタ・カートリッジについての排出濃度プロファイルを計算するための幾つかのパラメータを入力してもよい。ＥＣＰ補助モジュール１２８は、これらのパラメータを受け取って、それらのパラメータと、該パラメータに基づき排出濃度プロファイル２０４を計算するための一つ以上の数学的モデルとに基づいて、排出濃度プロファイル２０４を計算する。一つの実施形態において、ＥＣＰ補助モジュール１２８は、排出濃度２０４を計算するために用いられた数学的モデルにより要求される何らかのパラメータ又は変数のための一つ以上の初期設定値を得るが、これはユーザーによって入力されるものではない。例えばＥＰＣ補助モジュール１２８は、一つ以上のコンピュータ読取り可能な記憶媒体１１１、１１２から、ユーザーにより入力されない任意の変数についての初期設定値を得てもよい。破過時間補助モジュール１３０は、一つ以上の入力パラメータ（後述する）を受け取って、破過時間２０６（図２に示す）を計算する。例えば、ユーザーは一つ以上の濃度で一つ以上の化学的汚染物質を伴うで環境におけるフィルタ・カートリッジの耐用期間を計算するための幾つかのパラメータを入力し得る。破過時間補助モジュール１３０は、これらのパラメータを受け取って、これらのパラメータと、当該パラメータに基づき破過時間２０６を計算するための一つ以上の数学的モデルとに基づいて破過時間２０６を計算する。一つの実施形態において、破過時間補助モジュール１３０は破過時間２０６を計算するために用いられる数学的モデルで必要とされる何らかのパラメータ又は変数についての一つ以上の初期設定値を得るが、それはユーザーによって入力されるものではない。例えば、破過時間補助モジュール１３０は、一つ以上のコンピュータ読取り可能な記憶媒体１１０、１１２から、ユーザーによって入力されない任意の変数についての初期設定値を得てもよい。
【００２５】
出力補助モジュール１３２は、一つ以上の補助モジュール１２６乃至１３０（後述）の出力を出力デバイス１０８へ出力１２０として伝える。出力補助モジュール１３２は、出力１２０にこの出力１２０をグラフ的に表示させ、出力１２０を印刷させ、若しくは別の方法で出力１２０をシステム１００のユーザーへ伝えるようにしてもよい。
【００２６】
動作において、プロセッサ・モジュール１０２は一つ以上のパラメータを受信し、これらのパラメータを用いて、排出濃度プロファイル２０４、破過時間２０６、一つ以上の時間におけるベッド・プロファイル、及び／又はフィルタ・カートリッジ推奨２４０を生成する。耐用期間計算モードと称する第１の動作モードでは、プロセッサ・モジュール１０２は、一つ以上のパラメータを獲得するか若しくは受け取って、排出濃度プロファイル２０４と破過時間２０６とのうちの一つ以上を決定する。カートリッジ選択モードと称される第２の動作モードでは、プロセッサ・モジュール１０２は、推奨フィルタ・カートリッジを決定するために、一つ以上のパラメータを獲得若しくは受信する。プロセッサ・モジュール１０２は、耐用期間計算モードとカートリッジ選択モードとの両方を並行して実行してもよく、又は個別に実行してもよい。
【００２７】
耐用期間計算モードでは、排出濃度プロファイル２０４又は破過時間２０６は、パラメータに基づくフィルタ・カートリッジの耐用期間を表すために用いることができる。例えば、入力パラメータに基づいて、プロセッサ・モジュール１０２は、一つ以上の化学的汚染物質が非安全レベルでフィルタを突破してユーザーへ到達するに至る以前に、フィルタ・カートリッジを使用できる期間はどのくらいであるかを決定することができる。耐用期間計算モードにおいてプロセッサ・モジュール１０２により用いられる入力パラメータとしては、一つ以上の使用状態パラメータがあるが、これに限定されるものではない。使用状態パラメータは、フィルタ・カートリッジを既に使用した方式若しくはこれから使用する方式に関連するデータ又は情報を含む。例えば、使用状態パラメータとしては、カートリッジ型式、化学的汚染物質、化学的濃度、職業的な被爆限度、及び現場条件のうちの一つ以上が挙げられるが、これらに限定されるものではない。
【００２８】
カートリッジ型式は、使用されるフィルタ・カートリッジの型式、又は使用することが望ましいフィルタ・カートリッジの型式である。例えば、空気呼吸器に包含させるようにユーザーが希望するカートリッジ型式は、ユーザー・インターフェース１０６にてユーザーが入力して、プロセッサ・モジュール１０２へ入力１０４として伝えることができる。他の例では、能動的センサ１１６は、如何なるフィルタ・カートリッジがユーザーによって使用されるかを決定して、そのカートリッジ型式を入力１２２としてプロセッサ・モジュール１０２へ伝えることができる。他の例では、カートリッジ型式は、呼吸器の特定の型式及び／又は特定の粒子防護レベルについてのユーザーの選択に基づいてプロセッサ・モジュール１０２により決定することができる。呼吸器の型式としては、フィルタ・カートリッジが既に使用された若しくはこれから使用される空気呼吸器の製造型式及び／又はモデルが挙げられる。粒子防護レベルとしては、フィルタ・カートリッジをユーザーへ通過することが許容されるものとユーザーが判断する化学的微粒子の量が挙げられる。呼吸器の型式及び／又は粒子防護レベルは、ユーザー・インターフェース１０６にてユーザーによって入力して、入力１０４として伝えることができる。或いは、呼吸器の型式は、能動的及び受動的センサ１１６、１１８のうちの一つ以上で決定して、プロセッサ・モジュール１０２へ入力１２２、１２４として伝えることができる。呼吸器の型式及び／又は粒子防護レベルに基づいて、プロセッサ・モジュール１０２は、ユーザーに利用可能な全ての潜在的フィルタ・カートリッジのリストを絞り込むことができる。利用可能なフィルタ・カートリッジのリストは、一つ以上のコンピュータ読取り可能な記憶媒体１１０、１１２に保存することができる。プロセッサ・モジュール１０２は、このリストにアクセスして、呼吸器の型式及び／又は粒子防護レベルによって規定された基準を満たさないフィルタ・カートリッジを除外することができる。例えば、リスト内の或るフィルタ・カートリッジは、プロセッサ・モジュール１０２へ入力された型式の呼吸器では作動しないこともあろう。潜在的フィルタ・カートリッジの絞り込まれたリストに基づいて、プロセッサ・モジュール１０２は、絞り込まれたリスト内の一つ以上についてのフィルタ・カートリッジについての排出濃度プロファイル２０４及び／又は破過時間２０６を決定することができる。或いは、プロセッサ・モジュール１０２は、フィルタ・カートリッジの絞り込まれたリストを出力デバイス１０８にてユーザーへ提示することができる。次でユーザーは、ユーザー・インターフェース１０６を用いて、リストから一つ以上のフィルタ・カートリッジを選択することができる。
【００２９】
化学的汚染物質は、フィルタ・カートリッジにより濾過すべき一つ以上の化学種である。このような化学的汚染物質としては、受動的及び／又は能動的センサ１１８、１１６で検知されて、入力１２４としてプロセッサ・モジュール１０２へ伝えられる化学種が挙げられる。或いは、化学的汚染物質は、ユーザー・インターフェース１０６にてユーザーによって入力されて、入力１０４として交信される化学種を含むことができる。
【００３０】
化学的濃度は、フィルタ・カートリッジが既に使用されたか若しくはこれらから使用される環境における一つ以上の化学的汚染物質の濃度である。例えば、化学的濃度としては、蒸気、液体及び／又はエアゾール濃度を挙げることができよう。化学的濃度は、受動的及び／又能動的センサ１１８、１１６で検知されて、プロセッサ・モジュール１０２へ入力１２４、１２２として伝えられる化学的汚染物質を含むことができる。或いは、化学的濃度には、ユーザー・インターフェース１０６にてユーザーによって入力されて、入力１０４として伝えられる化学種の濃度を含めることもできる。他の実施形態においては、化学的濃度は、フィルタ・カートリッジを通過するか、或いは突破する一つ以上の化学的汚染物質の最大濃度である。この最大濃度は、破過濃度と称されることもある。プロセッサ・モジュール１０２は、化学的濃度パラメータのための初期設定値を得てもよい。例えば、プロセッサ・モジュール１０２は、コンピュータ読取り可能な記憶媒体１１０、１１２の一つ以上からユーザーによって入力される化学的汚染物質の化学的濃度についての初期設定値を得てもよい。化学的濃度パラメータについての初期設定値は、ユーザーによって入力される他のパラメータの一つ以上と関係していることがあり得る。例えば、化学的濃度のために使用される初期設定値は、ユーザーによって入力される様々な化学的汚染物質及び／又はカートリッジ型式について異なる場合があり得る。一つ以上の化学的濃度パラメータについての様々な初期設定値とユーザーからの入力パラメータとの間の関係は、少なくとも一つのコンピュータ読取り可能な記憶媒体１１０、１１２におけるテーブル、データ・ベース、又は他の記憶構造に記憶してもよい。
【００３１】
職業的な被爆制限は、フィルタ・カートリッジが使用されるべき環境で、一つ以上の化学的汚染物質の量又は濃度に対する一つ以上の限定を含む。例えば、職業的な被爆制限は、人間が特定の期間中晒され得る化学的汚染物質の量又は濃度に対して法的に義務付けられた制限となることもあり得る。職業的な被爆制限はユーザー・インターフェース１０６にてユーザーによって入力されて、入力１０４として交信してもよい。或いは、職業的な被爆制限はコンピュータ読取り可能な記憶媒体１１０及び／又は１１２に記憶させて、ここからプロセッサ・モジュール１０２により得られるようにしてもよい。プロセッサ・モジュール１０２は、職業的な被爆制限パラメータについての初期設定値を得てもよい。例えば、プロセッサ・モジュール１０２は、一つ以上のコンピュータ読取り可能な記憶媒体１１０、１１２から、職業的な被爆制限についての初期設定値を得てもよい。職業的な被爆制限パラメータについての初期設定値は、ユーザーによって入力される他のパラメータの一つ以上と関係していることがあり得る。例えば、職業的な被爆制限のために使用される初期設定値は、ユーザーによって入力される様々な化学的汚染物質及び／又はカートリッジ型式について異なることがあり得る。職業的な被爆制限パラメータのための様々な初期設定値とユーザーからの一つ以上の他の入力パラメータとの間の関係は、コンピュータ読取り可能な記憶媒体１１０、１１２のうちの少なくとも一方におけるテーブル、データ・ベース又は他の記憶構造に記憶させてもよい。
【００３２】
現場状態パラメータは、フィルタ・カートリッジが既に使用された若しくはこれから使用される環境に関連する一つ以上のパラメータを含む。例えば、周囲の圧力、温度、及び／又は相対湿度を現場状態パラメータとしてプロセッサ・モジュール１０２へ伝えてもよい。一つの実施形態においては、呼気率が現場状態パラメータとしてプロセッサ・モジュール１０２へ伝えられる。呼気率はユーザーによって望まれる呼気率であるか、特定のフィルタ・カートリッジを現在使用中のユーザーの測定された呼吸率である。一つ以上の現場状態をユーザー・インターフェース１０６にてユーザーによって入力して、入力１０４としてプロセッサ・モジュール１０２へ伝えるようにしてもよい。一つの実施形態においては、能動的及び／又は受動的センサ１１６、１１８が一つ以上の現場状態を測定若しくは検知して、その現場状態がプロセッサ・モジュール１０２により入力１２２及び／又は１２４として受信される。プロセッサ・モジュール１０２は、一つ以上の現場状態パラメータについての初期設定値を得てもよい。例えば、プロセッサ・モジュール１０２は、一つ以上のコンピュータ読取り可能な記憶媒体１１０、１１２から、周囲圧力、温度、相対湿度、及び／又は呼気率についての初期設定値を得てもよい。現場状態パラメータのための初期設定値は、ユーザーによって入力される一つ以上のパラメータに関係していることがあり得る。一つ以上の現場状態パラメータについての異なる初期設定値は、様々な化学的汚染物質及び／又はユーザーによって入力されたカートリッジ型式に関係することがあり得る。例えば、呼気率について使用される初期設定値は、様々な化学的汚染物質及び／又はカートリッジ型式について異なる場合があり得る。一つ以上の現場状態パラメータについての様々な初期設定値とユーザーからの入力パラメータとの関係は、コンピュータ読取り可能な記憶媒体１１０、１１２のうちの少なくとも一方におけるテーブル、データベース又は他の記憶構造体に記憶させてもよい。
【００３３】
一つの実施形態において、ユーザーは、一つ以上のパラメータにと関係している信頼レベルを入力する。例えば、ユーザーは、周囲圧力、呼気率、温度、相対湿度、化学的濃度などのうちの一つ以上についての５％の信頼レベルを入力し得る。他の信頼レベルは、ユーザーによって入力してもよい。一般に、より大きな信頼レベルは、ユーザーが入力パラメータの数値によせる信頼が低いことを示す。例えば、華氏８０度（約２７℃）の入力温度パラメータについての５％の信頼レベルは、ユーザーが温度パラメータは華氏７６乃至８４度であると考えていることを示す。比較として、華氏８０度の温度パラメータについての１０％の信頼レベルは、ユーザーが温度パラメータは華氏７２〜８８度（約２２℃〜約３１℃）であると考えていることを示す。
【００３４】
耐用期間計算モードで、プロセッサ・モジュール１０２は使用状態パラメータの一つ以上を受け取って、パラメータと、このパラメータに適用される一つ以上の数学的モデルとに基づいて、排出濃度プロファイル２０４及び／又は破過時間２０６を生成する。排出濃度プロファイル２０４と破過時間２０６との何れか又は両方は、使用状態パラメータにより示された使用方式によって環境におけるユーザーが特定のカートリッジを使用できる期間はどのくらいであるかを決定するために用いることができる。例えば、所定の濃度における特定の化学的汚染物質を伴う環境で使用すべきフィルタ・カートリッジの所定の型式によれば、濃度プロファイル２０４及び／又は破過時間２０６は、一つの化学的汚染物質がフィルタ・カートリッジを突破してユーザーへ到達する前に、その環境において、そのカートリッジを使用できる期間はどのくらいであるかを決定するために用いることができる。
【００３５】
一つの実施形態においては、プロセッサ・モジュール１０２は、使用状態パラメータの最小数又は最小量がプロセッサ・モジュール１０２により受け取られるまで、排出濃度プロファイル２０４及び／又は破過時間２０６を決定しない。例えば、プロセッサ・モジュール１０２は、カートリッジ型式、一つ又は複数の化学的汚染物質と一つ又は複数の化学的濃度がプロセッサ・モジュール１０２によりで受け取られるまで、排出濃度プロファイル２０４及び／又は破過時間２０６を決定しないようにしてもよい。一つの実施形態において、プロセッサ・モジュール１０２は、排出濃度プロファイル２０４及び／又は破過時間２０６を生成するために要求される任意の他のパラメータ又は変数についての初期設定値を得る。これらの初期設定値は、一つ以上のコンピュータ読取り可能な記憶媒体１１０、１１２から得るようにしてもよい。
【００３６】
プロセッサ・モジュール１０２は、ベッド・プロファイル、排出濃度プロファイル２０４及び／又は破過時間２０６（又はそれらの何れかを表すデータ）を出力１２０として出力デバイス１０８へ伝える。或いは、出力デバイス１０８は、排出濃度プロファイル２０４及び／又は破過時間２０６をユーザーへ提示された表状報告として表示してもよい。一つの実施形態において、プロセッサ・モジュール１０２は、排出濃度プロファイル２０４及び／又は破過時間２０６を決定して、出力デバイス１０８それらをユーザーに提示する。ユーザーは次いで、プロセッサ・モジュール１０２に入力されるパラメータを交換、変化又は追加してもよい。プロセッサ・モジュール１０２は次で排出濃度プロファイル２０４及び／又は破過時間２０６の更新されたバージョンを決定し、それを出力デバイス１０８がユーザーへ提示する。例えば、ユーザーがプロセッサ・モジュール１０２へ入力されるパラメータを変えて、それに応じてプロセッサ・モジュール１０２が、排出濃度プロファイル２０４及び／又は破過時間２０６を動的に変化又は更新するようにしてもよい。排出濃度プロファイル２０４及び／又は破過時間２０６の更新により、排出濃度プロファイル２０４及び／又は破過時間２０６における一つ以上のパラメータを変化させることの影響をユーザーが視覚的に見ることができるようにしてもよい。
【００３７】
一つの実施形態において、プロセッサ・モジュール１０２は、複数の化学種若しくは化学的汚染物質の各々についてのベッド・プロファイル、排出濃度プロファイル２０４及び／又は破過時間のうちの少なくとも一つ（或いはベッド・プロファイル、排出濃度プロファイル２０４及び／又は破過時間２０６の何れかを表すデータ）を決定して、これを出力１２０として出力デバイス１０８へ伝える。出力デバイス１０８は、複数のベッド・プロファイル、排出濃度プロファイル２０４及び／又は破過時間２０６を表示する。例えば、複数の排出濃度プロファイル２０４を一つのグラフに表示して、その各々の排出濃度プロファイル２０４が異なる化学種又は汚染物質の濃度を表すようにしてよい。或いは、複数の異なるパラメータ・シナリオの各々についてのベッド・プロファイル、排出濃度プロファイル２０４及び／又は破過時間２０６の少なくとも一つをプロセッサ・モジュール１０２が決定して、出力デバイス１０８が表示する。パラメータ・シナリオは、ユーザーによって入力される一組のパラメータを含む。異なるパラメータ・シナリオは、ユーザーによって入力される潜在的入力パラメータの異なる順列を含んでもよい。例えば、異なるパラメータ・シナリオは、一つ以上の異なる化学的汚染物質、化学的汚染物質の異なるセット、異なるフィルタ・カートリッジなどを含んでもよい。その結果、ユーザーは、異なる化学的汚染物質及び／又はパラメータ・シナリオについてのベッド・プロファイル、排出濃度プロファイル２０４及び／又は破過場合２０６を同時に容易に視覚的に比較しる。
【００３８】
一つの実施形態においては、複数のパラメータ・シナリオを一つ以上のコンピュータ読取り可能な記憶媒体に記録して保存し、プロセッサ・モジュール１０２によりアクセス可能とする。例えば、幾つかのパラメータ・シナリオは、コンピュータ読取り可能な記憶媒体１１０に保存してもよい。ユーザーは、プロセッサ・モジュール１０２へ伝えるべき一つ以上のパラメータ・シナリオを選択してもよい。パラメータ・シナリオのパラメータは、出力デバイス１０８へ伝えて、ユーザーに提示するようにしてもよい。次いでプロセッサ・モジュール１０２が、ユーザーにより選択されたパラメータ・シナリオにおける一つ以上のパラメータを用いて、ベッド・プロファイル、排出濃度プロファイル２０４及び／又は破過時間２０６を決定するようにしてもよい。一つの実施形態において、ユーザーは、既に他のユーザーによって入力されて記録されているパラメータ・シナリオを選択して、そのパラメータ・シナリオにける一つ以上のパラメータを修正して、更なるパラメータをパラメータ・シナリオに入力するか、及び／又は、パラメータ・シナリオから一つ以上のパラメータを削除する。次いでプロセッサ・モジュール１０２は、この修正されたパラメータ・シナリオに基づいて、排出濃度プロファイル２０４を決定し得る。
【００３９】
一つの実施形態において、プロセッサ・モジュール１０２は、入力パラメータの一つ以上の値についてのベッド・プロファイル、排出濃度プロファイル２０４及び／又は破過時間のうちの少なくとも一つ（或いはベッド・プロファイル、排出濃度プロファイル２０４及び／又は破過時間２０６の何れかを表すデータ）を、その入力パラメータについての信頼レベル内にある値により決定する。例えば、ユーザーが華氏８０度（約２７℃）で５％の信頼レベルを入力すると、プロセッサ・モジュール１０２は、華氏８０度（約２７℃）の５％内にある複数の値についての複数のベッド・プロファイル、排出濃度プロファイル２０４及び／又は破過時間破過時間２０６を決定し得る。これらの複数のベッド・プロファイル、排出濃度プロファイル２０４及び／又は破過時間２０６は、出力デバイス１０８に同時に表示してもよい。或いは、プロセッサ・モジュール１０２は、信頼レベル内にあるパラメータ値についてのベッド・プロファイル、排出濃度プロファイル２０４及び／又は破過時間２０６を決定し、これは信頼レベル内にあるパラメータ値の範囲を用いて決定された最も安全な若しくは最も保安的な様々なベッド・プロファイル、排出濃度プロファイル２０４及び／又は破過時間２０６を与える。例えばプロセッサ・モジュール１０２は、５％の信頼レベルを有する華氏８０度（約２７℃）即ち華氏７６度乃至８４度（約２４℃乃至約２９℃）の温度パラメータについて、華氏７６度（約２４℃）と華氏８４度（約２９℃）との間の複数の温度パラメータについては華氏８４度（約２９℃）の温度パラメータにおいて生じる最短の破過時間２０６を決定し得る。このような例では、プロセッサ・モジュール１０２は最短の破過時間２０６を出力デバイス１０８へ伝えて、ユーザーへ提示する。次で、保安的なベッド・プロファイル、排出濃度プロファイル２０４及び／又は破過時間２０６をユーザーの入力信頼レベルに基づく安全限界として、プロセッサ・モジュール１０２が決定して出力デバイス１０８が表示する。
【００４０】
排出濃度プロファイル２０４、破過時間２０６及び／又は複数の時間における一つ以上のベッド・プロファイルは、上述の入力パラメータの一つ以上を用いる幾つかの数学的モデルの何れかを用いて計算して、排出濃度プロファイル２０４、破過時間２０６及び／又はベッド・プロファイルを決定するようにしてもよい。例えば、一つの実施形態において、排出濃度プロファイル２０４を決定するための新たなモデルが採用される。このモデルは、ディング（Ｄｉｎｇ）モデルと称され、吸着プロセスまで二つの仮定を含む。即ち、（ａ）充実して一定供給される吸着プロセスについて、大きさのない化学的ポテンシャルは濾床位置で指数的に変動し得る及び（ｂ）濃度波の速度は、濃度波が濾床から生じるときには、時間と共に加速する。ディング・モデルは、桁違いに広範囲の濃度に亘って実験データに整合する能力を持ち得る。ディング・モデルは、特定の動作状況に対する吸着平衡及び二つのパラメータの感度を与える予測ツールとして用いることができる。ディング・モデルは、空気浄化工程のための吸着工程と反応工程との両方に適用してもよい。ディング・モデルは、既存のモデルの幾つかの欠点を克服するために用いてもよい。例えば、ディング・モデルは、異なる毒性レベル、異なる供給濃度、及び異なる残り耐用期間を計算するために用いてもよい。ディング・モデルは、フィルタを設計を支援するために、異なる時間における吸着ベッド・プロファイルを逆評価するために用いてもよい。ディング・モデルは、比較的に低に分子重量及び／又は沸点を有する化学的汚染物質の排出濃度プロファイル及び／又は破過時間をより正確に計算し得る。
【００４１】
一つの実施形態において、排出濃度プロファイル及び／又は破過時間を計算するために使用される数学的なモデルは、（上述のように）ユーザーによって入力されるパラメータと、濾過されるべき化学的汚染物質の物理的特性との組み合わせに基づいている。上述のように、化学的汚染物質は、ユーザーが入力してもよい。化学的汚染物質の物理的特性は、コンピュータ読取り可能な記憶媒体１１０、１１２の一つ以上などのコンピュータ読取り可能な記憶媒体から得るようにしてもよい。例えば、コンピュータ読取り可能な記憶媒体１１２は、ユーザーによって入力される化学的汚染物質に関連した物理的特性を保存するデータ・ベースを包含してもよい。そのデータ・ベースも、他の関連した化学製品及び合成物に関する物理的特性データを含むことができる。例えば、データ・ベースは、水及び大気中の空気に関する物理的特性データを記憶することができる。物理的特性データのデータ・ベースは、公共データ・ベース、プライベート・データ・ベース、及びカスタム・データ・ベースの一つとしてもよい。公共データ・ベースに関して、このデータ・ベースは、インターネット上で公共的にアクセス可能で利用可能なデータ・ベースとしてもよい。プライベート・データ・ベースは、限られた人数のユーザーによりアクセス可能なデータ・ベースとしてもよい。例えば、プライベート・データ・ベースは、ログイン及びパスワード手順によって認証されるユーザーのみによってアクセス可能なイントラネット上で利用可能なデータ・ベースとしてもよい。カスタム・データ・ベースは、公共及び／又はカスタム・データ・ベースから物理的特性データを得るが、例えば、カスタマイズされた方式でデータを組織化し、及び／又はフィルタに通すデータ・ベースとしてもよい。
【００４２】
例えば、データ・ベースはユーザーによって選択することができた化学的汚染物質の各々のについて、一つ以上の特性を含んでもよい。これらの特性としては、以下に列挙するもののうち一つ以上が挙げられるが、これらに限定されるものでない。即ち、化学要約サービス（ＣＡＳ：Ｃｈｅｍｉｃａｌ  Ａｂｓｔｒａｃｔｓ  Ｓｅｒｖｉｃｅ）登録番号、化学式、分子量、液体の密度（例えば、立方センチメートルについてのグラムによる）、モル両極性（例えばＰｅ）、水溶性、蒸気モデル（例えばモデル０又はモデル）、一つ以上の蒸気モデルＡ，Ｂ，及び、Ｃ、化学名名称、化学的呼称又は別名、生命及び健康上に直ちに危険（ＩＤＬＨ）な限界（例えば百万当たりの数個）、推奨される被爆限界（（ＲＥＬ）（例えば百万当たり数個）、許容暴露限界（ＰＥＬ）（例えば、１００万当たり数個）、閾値限界値（ＴＬＶ）（例えば、１００万当たり数個）、及びコメントである。そのコメントには、任意の付加的な関係情報を含むことができる。一つの実施形態において、蒸気モデルのモデル０は、アントワーヌ（Ａｎｔｏｉｎｅ）形式の蒸気モデルとしてもよく、次式により表現される。
【数１】
2011523572.tif 000002
【００４３】
蒸気モデルのモデル１は、アントワーヌ（Ａｎｔｏｉｎｅ）形式の蒸気モデルとしてもよく、次式により表現される。
【数２】
2011523572.tif 000003
【００４４】
化学種の特性はシステム１００の管理者により入力される。一つ実施形態においては、一つ以上の化学種は、ｈｔｔｐ：／／ｗｅｂｂｏｏｋ．ｎｉｓｔ．ｇｏｖ／において利用可能なＮＩＳＴ  Ｗｅｂブックから得られる。一つ以上の化学的特性は、ｈｔｔｐ：／／ｗｗｗ．ｃｄｃ．ｇｏｖ／ｎｉｏｓｈ／ｉｄｌｈ／ｉｎｔｒｉｄｌ４．ｈｔｍｌにおいて利用可能なＮＩＯＨ  ＩＤＬＨガイドブックから得られであろう。特定の化学種がデータ・ベース内では利用できず、ユーザーによって提供されない場合には、システムは可聴式及び／又は視覚的な警告をユーザーへ発することができる。
【００４５】
ディング・モデルは、フィルタ・カートリッジで濾過しようとする化学的汚染物質の化学的電位差を次式のように定義する。
【数３】
2011523572.tif 000004
【００４６】
ここでΦは、フィルタ・カートリッジの濾床における化学的汚染物質の局所的な化学的電位と、供給される濃度（若しくはフィルタ・カートリッジが使用される環境の濃度）の化学的汚染物質の化学的電位との間の差異である。ψは濾床の所定位置における化学的汚染物質の化学的電位である。ψｆは濾床における化学的汚染物質の化学的電位である。ψ０は濾床を通過する化学的汚染物質としての化学的汚染物質の波頭（即ち、破過曲線頭）の化学的汚染物質の化学的電位である。Ｃ０は破過曲線頭における化学的汚染物質の濃度として定義される。Ｃ＊及びＣ０＊は、実質的に一定又は供給濃度（Ｃｆ）を参照する次元のない変数として定義される。化学的電位（ψ）は次式のように定義してもよい。
【数４】
2011523572.tif 000005
【００４７】
一つの実施形態において、破過曲線頭は、濾床の任意の清浄領域、又は化学的汚染物質の濃度が実質的に無い領域の影響を効果的に取り除くために、任意に規定してもよい。そのような実施形態において、化学的汚染物質の次元の無い位置（ζ）と濾床における化学的汚染物質の特定の位置に関連する次元の無い時間時（τ）とは、次式により定義してもよい。
【数５】
2011523572.tif 000006
【００４８】
ここでzはメートルで表される濾床の位置又は場所である。ｚ０はメートルで表される濾床における破過曲線頭の位置であり、ｚ０はメートルで表される濾床の破過曲線頭の位置である。ｚｒｅｆ０は、メートルで表される濾床の参照位置である。tは秒で表される時間である。ｔ０は濾床曲線頭が濾床における位置ｚ０に位置する数秒の時間である。ｔｒｅｆは数秒で表される参照時間である。一つの実施形態において、破過波頭において、コブラ値ζと時間τとはゼロであり、先述のように破過波頭における化学的汚染物質の濃度（Ｃ）はＣ０である。この実施形態においては、位置（ζ）と時間（τ）との両方における参照点は１であり、濃度（Ｃ）は参照度（Ｃｒｅｆ）である。時間（τ）が増加して無限大（∞）に近づくと、濃度（Ｃ）は参照濃度（Ｃｒｅｆ）に等しい。
【００４９】
フィルタ・カートリッジが化学的汚染物質を含む環境に留まるか、又は化学的汚染物質の一定の供給がΦとして続くか、或いはフィルタ・カートリッジの濾床における化学的汚染物質の局所的化学的電位と供給濃度における化学的汚染物質の化学的電位との間の差異が、濾床における位置により変化するもとのとする。Φにおけるこの変化は次式により表わし得る。
【数６】
2011523572.tif 000007
【００５０】
ここでΦｒｅｆは、参照位置における濾床における化学的汚染物質の化学的電位と供給濃度における化学的汚染物質の化学的電位との間の差異である。
【００５１】
化学的汚染物質の波がフィルタ・カートリッジにおける濾床から生じるとき、波の位置は時間に関して加速するであろう。波が濾床から生じる速度は、時間に関して次式のように変化し得る。
【数７】
2011523572.tif 000008
【００５２】
ここでＶ＊は速度であり、ゼータ（ζ）は「コブラ値」に関する加速因子である。ゼータ（ζ）は、多くの化学的汚染物質の排出濃度プロファイル２０４（図２に示す）のコブラ状形状に起因するコブラ値として参照される。一つの実施形態において、実質的に一定又は減速速度（Ｖ＊）で濾床から生じる化学的汚染物質の波は１未満のコブラ値（ζ）を有し、加速された速度（Ｖ＊）で濾床から生じる化学的汚染物質の波は、１より大きいコブラ値（ζ）を有する。一つ以上のコブラ値（ζ）は、データ又はユーザーによる入力から実験的に決定してもよい。例えば、少なくともコブラ値（ζ）のリストは、実験的データから決定されてプロセッサ・モジュール１０２によりアクセスされる一つ以上のコンピュータ読み取り可能記憶媒体１１０，１１２に記憶される。
【００５３】
従って、化学的汚染物質の位置（ζ）は次式により表される。
【数８】
2011523572.tif 000009
【００５４】
式６（Ｅｑｎ．６）を式４に代入すると、以下の関係を得る。
【数９】
2011523572.tif 000010
【００５５】
式７は、ディング・モデルと共にベッド・プロファイルの一般的形式を表すために用いられ、また単独で、或いは本明細書に説明された他の式の一つ以上と併用して、排出濃度プロファイルを生成するために用いてもよい。例えば、フィルタ・カートリッジ６００（図６に示す）のポート６２４（図６に示す）に最も近い濾床６０６（図６に示す）の端部における化学的汚染物質の濃度は、複数の時間についてディング・モデルを用いて計算してもよい。濾床６０６の端部の化学的汚染物質の濃度は、次いで、時間に関してグラフ化して、濾床６０６を突破する化学的汚染物質の濃度を図示してもよい。
【００５６】
ディング・モデルの化学量論時間（ｔｓ）は、以下から決定することができる。
【数１０】
2011523572.tif 000011
【００５７】
一つの実施形態において、式７のために使用される参照点は、任意に定義される。例えば、排出濃度プロファイル２０４に類似した排出濃度プロファイルの任意の点１のためには、式８が相応しい。
【数１１】
2011523572.tif 000012
【００５８】
式８を適用すると、参照点は、次式により表される。
【数１２】
2011523572.tif 000013
【００５９】
ここで上付き文字はディング・モデルについての新たな参照点を表す。従って、異なる参照点は、ディング・モデルにおける一つ以上のパラメータの値を変えることなく、異なる用途のために選択してもよい。
【００６０】
一つの実施形態において、ディング・モデルは、排出濃度プロファイル２０４を決定して、この排出濃度プロファイル２０４をユーザーによって入力される破過濃度と比較することにより、破過時間２０６を決定するために用いてもよい。例えば、排出濃度プロファイル２０４がプロセッサ・モジュール１０２により一旦形成されたならば、破過濃度が排出濃度プロファイル２０４に生じる時間が破過時間２０６となる。或いは、ディング・モデルを破過時間２０６を直接に計算するために用いてもよい。例えば、上述の参照点が式９に定義された化学量論中心と等しくなるように設定してもよく、この場合、破過時間２０６は次式のように定義されるであろう。
【数１３】
2011523572.tif 000014
【００６１】
ここでｑは濾床における一つ又は複数の化学的汚染物資の負荷、或いは着平衡を表し、キログラム毎モル数で表される。ρbは濾床におけるフィルタ粒子の密度を表し、立方メートル毎キログラムで表される。Ｖは濾床の体積量を表し、立方メートルで表される。Ｆは濾床を通過する一つ又は複数の化学的汚染物質の流量率を表し、立方メートル毎秒で表される。ｔrは、破過時間２０６又は滞留時間を表す。Λは、供給濃度Ｃｆで計算された分離比を表す。吸着平衡(q)の値は、実験データ、シミュレートされた等温線モデル、或いはユーザーによる入力により計算してもよい。式１２から、分離比（Λ）と破過時間２０６（ｔr）は、次式を用いて決定してもよい：
【数１４】
2011523572.tif 000015
【００６２】
代替的に、上述のディング・モデル以外の一つ以上の他の数学的なモデルを、ベッド・プロファイル、排出濃度プロファイル２０４及び破過時間２０６のうちの一つ以上を決定するために用いてもよい。例えば以下の文献に記載される一つ以上のモデルを用いてもよい。即ち、Ｗｏｏｄ，Ｇａｒｒｙ  Ｏ．，Ｅｓｔｉｍａｔｉｎｇ  Ｓｅｒｖｉｃｅ  Ｌｉｖｅｓ  ｏｆ  Ｏｒｇａｎｉｃ  Ｖａｐｏｒ  Ｃａｒｔｒｉｄｇｅｓ，Ａｍｅｒｉｃａｎ  Ｉｎｄｕｄｒｉａｌ  Ｈｙｇｉｎｎｅ  ＡｓｓｓｏｃｉａｔｉｏｎａｌＪｏｕｒａｌ（１９９４年１月），ＰＰ１１−１５；Ｗｏｏｄ，Ｇａｒｒｙ  Ｏ．，Ｅｓｔｉｍａｔｉｎｇ  Ｓｅｒｖｉｃｅ  Ｌｉｖｅｓ  ｏｆ  Ｏｒｇａｎｉｃ  Ｖａｐｏｒ  Ｃａｒｔｒｉｄｇｅｓ，Ａｍｅｒｉｃａｎ  Ｉｎｄｕｄｒｉａｌ  Ｈｙｇｉｎｎｅ  ＡｓｓｓｏｃｉａｔｉｏｎａｌＪｏｕｒａｌ（１９９４年１月），ＰＰ１１−１５；Ｍｙｏｒ，Ｅｒｎｅｔ  Ｓ，：Ａ   Ｒｅｖｉｅｗ  ｏｆ  ｔｈｅ  Ｗｈｅｅｌ  Ｅｑｕａｉｏｎ  ａｎｄ  Ｃｏｐｍｐａｒｉｓｏｎ  ｏｆ  Ｉｔｓ  Ａｐｐｌｉｃａｔｉｏｎ  ｔｏ  Ｏｎｇａｎｉｃ  Ｖａｐｏｒ  Ｒｅｓｐｉｒｔｏｒ  Ｃａｒｔｒｉｄｇｅ  Ｂｒａｋｔｈｒｏｕｇｈ  Ｄａｔａ，Ａｍ，Ｉｎｄ．Ｈｙｇ．Ａｓｓｏｃ．Ｊ．５０（８）：４００−４０７（１９８９）；Ｗｏｏｄ，Ｇａｒｒｙ  Ｏ．，Ｅｓｔｉｍａｔｉｎｇ  Ｓｅｒｖｉｃｅ  Ｌｉｖｅｓ  ｏｆ  Ａｉｒ−Ｐｕｒｉｆｙｉｎｇ  Ｒｅｓｐｉｒａｔｏｒ  Ｃａｒｔｒｉｄｇｅｓ  ｆｏｒ  Ｒｅａｃｔｉｖｅ  Ｇａｓ  Ｒｅｍｏｖａｌ，Ｊ．ｏｆ  Ｏｃｕｕｐａｔｉｏｎａｌ  ａｎｄ  Ｅｎｖｉｒｏｎｍｅｎｔａｌ  Ｈｙｇｉｅｎｅ，２：４１４−４２３（２００５）；Ｗｏｏｄ，Ｇａｒｒｙ  Ｏｒｇａｎｉｃ  Ｖａｐｏｒ  Ｒｅｓｐｉｒａｔｏｒ  Ｃａｒｔｒｉｄｇｅ  Ｂｒｅａｋｔｈｒｏｕｇｈ  Ｃｕｒｖｅ  Ａｎａｌａｙｓｉｓ，Ｊ，ｏｆ  ｔｈｅ  Ｉｎｔｅｒｎａｔｉｏｎａｌ  Ｓｏｃｉｅｔｙ  ｆｏｒ  Ｒｅｓｐｉｒａｔｏｒｏｒｙ  Ｐｒｏｔｅｃｔｉｏｎ  Ｗｉｎｔｅｒ  １９９２−１９９３である（これらを纏めてウッド（Ｗｏｏｄ）モデルと称する）。
【００６３】
一つの実施形態によれば、式１乃至１４に関連して上述した一つ以上の変数は、ユーザー・インターフェース１０６でユーザーによりプロセッサ・モジュール１０２に入力してもよい。或いは、これらの変数の一つ以上は、プロセッサ・モジュール１０２がコンピュータ読取り可能な記憶媒体１１０、１１２の一方又は両方から得てもよい。例えば、上述のように、変数について初期設定値は、コンピュータ読取り可能な記憶媒体１１０から得てもよい。
【００６４】
一つの実施形態において、プロセッサ・モジュール１０２は、化学的汚染物質に関するデータについて、上述のようにこれらのデータをユーザーに入力させることをユーザーに要求する代わりに、公共、個人的及び／又はカスタムのデータ・ベースから得てもよい。
【００６５】
カートリッジ選択モードでは、プロセッサ・モジュール１０２は一つ以上のパラメータを得るか又は受け取って、推奨されるフィルタ・カートリッジを決定する。一つの実施形態においては、上述のように、プロセッサ・モジュール１０２は排出濃度プロファイル２０４及び破過時間２０６の一つ以上を決定してもよい。推奨されるフィルタ・カートリッジは、入力パラメータに基づいてユーザーに推奨されるフィルタ・カートリッジである。カートリッジ選択モードにおいてプロセッサ・モジュール１０２により用いられる入力パラメータとしては、一つ以上のカートリッジ選択パラメータが挙げられるが、これに限定されるものではない。
【００６６】
一つ以上の使用状態パラメータは、入力パラメータとして用いてもよい。カートリッジ選択パラメータは、ユーザーに対するフィルタ・カートリッジの有効性又は有用性に関連するデータ又は情報を含む。例えば、カートリッジ選択パラメータは、次のうちの何れか一つ以上を含んでもよいが、それらに限定されるものではない。即ち、最小耐用期間、快適性指標、価格、実験結果、在庫、地域的必要条件、廃止兆候、廃止兆候、及び使用パラメータの柔軟性である。
【００６７】
最小耐用期間パラメータは、使用が望まれるフィルタ・カートリッジの最小耐用期間を含む。例えば、プロセッサ・モジュール１０２により推奨される何れのフィルタ・カートリッジについても、ユーザーが必要とする最小耐用期間をユーザーが入力してもよい。プロセッサ・モジュール１０２は、フィルタ・カートリッジの全ての候補リストから一つ以上のフィルタ・カートリッジを除外するために、この最小耐用期間を用いてもよい。例えば、最小耐用期間と一つ以上の使用状態パラメータとに基づいて、プロセッサ・モジュール１０２は、幾つかのフィルタ・カートリッジについての破過時間２０６を、ユーザーによって入力された最小耐用期間に達したりそれを越えたりしないように定めてもよい。それらのフィルタ・カートリッジは、ユーザーへ推奨するカートリッジ候補のリストから除外される。最小耐用期間は、時間の量として、又は、許容可能な耐用期間の範囲として入力してもよい。最小耐用期間は、ユーザー・インターフェース１０６を用いて入力して、プロセッサ・モジュール１０２へ入力１０４として伝えてもよい。
【００６８】
快適性指標は、フィルタ・カートリッジの使いやすさに関連した情報を含む。例えば、快適性指標は、フィルタ・カートリッジの重さ及び／又はフィルタ・カートリッジの吸入抵抗として表してもよい。ユーザーは、プロセッサ・モジュール１０２により推奨されるフィルタ・カートリッジの最大重量及び／又は最大吸入抵抗として快適性指標を入力してもよい。プロセッサ・モジュール１０２は、この快適性指標を用いて、全てのフィルタ・カートリッジ候補のリストから一つ以上のフィルタ・カートリッジを除外してもよい。例えば、最大重量及び／又は最大吸入抵抗に基づいて、プロセッサ・モジュール１０２は、ユーザーへ推奨するカートリッジ候補のリストから幾つかのフィルタ・カートリッジを除外してもよい。除外されたフィルタ・カートリッジは、最大フィルタ重量を越える重量及び／又は最大吸入抵抗を越える吸入抵抗を持つであろう。快適性指標は、ユーザー・インターフェース１０６を用いて入力して、プロセッサ・モジュール１０２へ入力１０４として伝えてもよい。
【００６９】
価格パラメータは、フィルタ・カートリッジのユーザーに対するコストを含む。例えば、価格はフィルタ・カートリッジを購入するための現在の市場価格としてもよい。ユーザーは、プロセッサ・モジュール１０２により推奨されるフィルタ・カートリッジの最大コストとして、価格を入力してもよい。プロセッサ・モジュール１０２は、この価格を用いて全てのフィルタ・カートリッジ候補のリストから一つ以上のフィルタ・カートリッジを除外してもよい。例えば、ユーザーによって入力される最大コストに基づいて、プロセッサ・モジュール１０２は、ユーザーへ推奨する全てのカートリッジ候補のリストから幾つかのフィルタ・カートリッジを除外してもよい。除外されたフィルタ・カートリッジは、ユーザーによって入力された最大コストを越えるコストを持つであろう。価格は、ユーザー・インターフェース１０６を用いて入力して、プロセッサ・モジュール１０２へ入力１０４として伝えてもよい。
【００７０】
経験的な結果は、一つ以上の共通入力パラメータに基づいて、フィルタ・カートリッジの以前の推奨に基づくユーザーへのフィルタ・カートリッジの推奨を含む。例えば、対応する入力パラメータに基づく以前のフィルタ・カートリッジ推奨からの複数の経験的な結果は、例えばデータ・ベース又はテーブルとして、コンピュータ読取り可能な記憶媒体１１０及び／又は１１２に記憶させてもよい。プロセッサ・モジュール１０２は、データ・ベース又はテーブルに問い合わせて、ユーザーによる一つ以上のカートリッジ選択パラメータ入力が、以前に他のユーザーによって入力されたカートリッジ選択パラメータに対応するか否かを判定してもよい。以前のフィルタ・カートリッジ推奨からの充分な数のカートリッジ選択パラメータが、ユーザーによって現在入力されるカートリッジ選択パラメータと実質的に同様であるならば、プロセッサ・モジュール１０２は、以前に推奨されたものと同一のフィルタ・カートリッジを推奨してもよい。一つの実施形態においては、フィルタ・カートリッジが経験的な結果に基づいて推奨される以前に、必要とされる共通カートリッジ選択パラメータの数は、ユーザーによって修正することができる。
【００７１】
在庫パラメータは、入手可能なフィルタ・カートリッジの量を含む。例えば、プロセッサ・モジュール１０２によりユーザーへ推奨することができる一つ以上のフィルタ・カートリッジは、品切れか、さもなければ入手不可能なこともあり得る。プロセッサ・モジュール１０２は入手可能なフィルタ・カートリッジの在庫を考慮して、ユーザーへ推奨する全てのフィルタ・カートリッジのリストから品切れであるフィルタ・カートリッジを削除してもよい。このようにすることにより、プロセッサ・モジュール１０２は入手不可能なフィルタ・カートリッジをユーザーに推奨することを避ける。プロセッサ・モジュール１０２は、コンピュータ読取り可能な記憶媒体１１０、１１２の一つ以上に記憶されている入手可能なフィルタ・カートリッジのデータ・ベース又はリストから、入手可能なフィルタ・カートリッジの在庫にアクセスしてもよい。
【００７２】
地域必要条件パラメータは、地域的なフィルタ・カートリッジ条件を含む。例えば、様々な政府及び／又は管轄によって、フィルタ・カートリッジについての最低条件が変動するであろう。これらの最低条件はコンピュータ読取り可能な記憶媒体１１０、１１２の一つ以上に記憶させて、プロセッサ・モジュール１０２によりアクセス可能にしてもよい。プロセッサ・モジュール１０２は、関連した地域的条件にアクセスして、入手可能なフィルタ・カートリッジのセットから一つ以上のフィルタ・カートリッジを除外してもよい。例えば、一つ以上のフィルタ・カートリッジは、特定の管轄の必要条件を満たさないか、或いは越えることがあり得る。プロセッサ・モジュール１０２は、ユーザーへ推奨するフフィルタ・カートリッジ候補のリストから、それらのフィルタ・カートリッジを除外してもよい。一つの実施形態において、プロセッサ・モジュール１０２はユーザーのインターネット・プロトコル（ＩＰ）アドレスを得ることにより、そのユーザーの地域の必要条件を判定し得る。例えば、プロセッサ・モジュール１０２は、カートリッジ選択パラメータを入力するためにユーザーによって使用されているユーザー・インターフェース１０６のＩＰアドレスを得てもよい。このＩＰアドレスに基づいて、プロセッサ・モジュール１０２は如何なる地域的必要条件がユーザーへ適用されるかを判断して、これらの地域の必要条件を満たさない又は越えるフィルタ・カートリッジを除外することができる。
【００７３】
廃止兆候は、一つ以上のフィルタが市場から消える過程にあるという徴候を含む。例えば、フィルタ・カートリッジは、そのフィルタ・カートリッジがもはや製造されておらず、そのフィルタ・カートリッジの残りの在庫が該フィルタ・カートリッジの既存の在庫であることを示すデータに関連していることがある。このフィルタ・カートリッジについての廃止兆候は、一つ以上のコンピュータ読取り可能な記憶媒体１１０、１１２に記憶されたリスト、テーブル又はデータ・ベースに記憶させてもよい。プロセッサ・モジュール１０２は入手可能なフィルタ・カートリッジの廃止兆候を考慮して、廃止されるフィルタ・カートリッジをユーザーへ推奨される全てのフィルタ・カートリッジのリストから削除してもよい。このようにすることにより、プロセッサ・モジュール１０２は、廃止されるフィルタ・カートリッジをユーザーへ推奨することを避ける。
【００７４】
導入兆候は、一つ以上のフィルタが市場へ導入される過程にあるという兆候を含む。例えば、フィルタ・カートリッジは、該フィルタ・カートリッジが比較的に新しくて、特定の市場又は産業で使用するために段階的に導入されていることを示すデータと関連していることがある。このフィルタ・カートリッジについての導入兆候は、コンピュータ読取り可能な記憶媒体１１０，１１２の一つ以上に記憶されているリスト、テーブル又はデータ・ベースに記憶させてもよい。プロセッサ・モジュール１０２はフィルタ・カートリッジの導入兆候を考慮して、導入されつつあるフィルタ・カートリッジのみを推奨してもよい。
【００７５】
使用パラメータの柔軟性は、特定のフィルタ・カートリッジと共に使用可能な空気呼吸器の数の指標を含む。例えば、使用パラメータの柔軟性は、任意の一つのフィルタ・カートリッジと互換性がある幾つかの空気呼吸器を含んでもよい。或いは、ユーザー・パラメータの柔軟性は、どのくらい多くの空気呼吸器が特定のフィルタ・カートリッジを使用し得るかという相対的な指標としてもよい。例えば、第1のフィルタ・カートリッジは、第２のフィルタ・カートリッジについてよりも多くの空気の呼吸器と共に使用し得るのであれば、第1のフィルタ・カートリッジは、第２のフィルタ・カートリッジより大きな使用パラメータの柔軟性に関係していることになる。使用パラメータの柔軟性は、例えば、一つ以上のコンピュータ読取り可能な記憶媒体１１０，１１２におけるリスト、テーブル、データ・ベースなどにおける複数のフィルタ・カートリッジの各々に関連していることがあり得る。
【００７６】
カートリッジ選択モードにおいて、プロセッサ・モジュール１０２は一つ以上のカートリッジ選択パラメータを受け取って、パラメータに基づいて、一つ以上のフィルタ・カートリッジをユーザーへ推奨する。例えば、プロセッサ・モジュール１０２はコンピュータ読取り可能な記憶媒体１１０及び／又は１１２からフィルタ・カートリッジのリストにアクセスし得る。ユーザーによって入力された及び／又はプロセッサ・モジュール１０２によりアクセスされたカートリッジ選択パラメータに基づいて、プロセッサ・モジュール１０２は、フィルタ・カートリッジのリストから一つ以上のフィルタ・カートリッジを除外する。プロセッサ・モジュール１０２は、ユーザーによって入力されたパラメータを満足しないそれらのフィルタ・カートリッジを除外した後に、リスト内に残る一つ以上のフィルタ・カートリッジを推奨し得る。一つの実施形態においては、プロセッサ・モジュール１０２は一つ以上の使用状態パラメータも受信する。プロセッサ・モジュール１０２は、使用状態パラメータを使用して、リスト内の一つ以上のフィルタの破過時間２０６を決定してもよい。プロセッサ・モジュール１０２は、カートリッジ選択パラメータで規定された基準を満たしており、且つ充分に大きい破過時間２０６を有するそれらのフィルタのみを推奨してもよい。充分に大きな破過時間２０６は、例えば、最小の破過時間であってもよい
一つの実施形態において、プロセッサ・モジュール１０２は、カートリッジ選択パラメータ及び／又は使用状態パラメータの最小限の数又は量がプロセッサ・モジュール１０２により受け取られるまで、フィルタ・カートリッジを推奨しない。例えば、カートリッジ選択パラメータ、カートリッジ型式、一つ又は複数の化学的汚染物質及びその化学的濃度のうちの少なくとも一つがプロセッサ・モジュール１０２によりアクセス可能及び／又は受け取られるまでは、プロセッサ・モジュール１０２は推奨されたフィルタ・カートリッジを決定しなくてもよい。
【００７７】
プロセッサ・モジュール１０２は、推奨された一つ又は複数のフィルタ・カートリッジ（又は推奨された一つ又は複数のフィルタ・カートリッジを表すデ−タ）を出力デバイス１０８へ出力１２０として伝える。出力デバイス１０８は、推奨された一つ又は複数のフィルタ・カートリッジをユーザーへ提示する。例えば、出力デバイス１０８は推奨されたフィルタ・カートリッジの画像をユーザーへ表示してもよい。一つの実施形態において、プロセッサ・モジュール１０２は推奨されたフィルタ・カートリッジを決定して、それを出力デバイス１０８がユーザーへ提示する。次いでユーザーは、プロセッサ・モジュール１０２へ入力されるパラメータを交換、変化又は増加させてもよい。次いでプロセッサ・モジュール１０２は、推奨されたフィルタ・カートリッジを更新する必要があるか否かを決定する。更新する必要があるならば、プロセッサ・モジュール１０２は更新されたフィルタ・カートリッジ推奨を与えて、これを出力デバイス１０８がユーザーへ提示する。例えば、ユーザーはプロセッサ・モジュール１０２へ入力されるパラメータを変えて、それに応答してプロセッサ・モジュール１０２は推奨されるフィルタ・カートリッジを動的に切り換えるか或いは更新する。
【００７８】
図２は、一つの実施形態によって、図１に示すシステム１００に一つ以上のパラメータを入力して、出力１２０（図１に示す）をユーザーへ表示するのに用いられるグラフィカル・ユーザ・インタフェース２００の例示である。グラフィカル・ユーザ・インタフェース２００は、出力デバイス１０８（図１に示す）にてユーザーへ表示してもよい。ユーザーは、ユーザー・インターフェース１０６（図１に示す）にて入力デバイスを用いて、グラフィカル・ユーザ・インタフェース２００における一つ以上のボタン、スライド、メニュー、リストなどを操作する。図２は入力１０４（図１に示す）をプロセッサ・モジュール１０２へ提示するためのグラフィカル・ユーザ・インタフェースの一つの実施形態を例示するが、異なる配置構成及びグラフ的表示を有するグラフィカル・ユーザ・インタフェースの他の実施形態も可能である。
【００７９】
グラフィカル・ユーザ・インタフェース２００は、グラフ・ウィンドウ２０２を含む。図示した実施形態においては、グラフ・ウィンドウ２０２は、排出濃度プロファイル２０４及び破過時間２０６を表示する。排出濃度プロファイル２０４は、時間軸２０８と濃度軸２１０とにより規定されるグラフ中のデータのプロットとして表してもよい。この同じグラフには破過時間２０６を表してもよい。排出濃度プロファイル２０４を生成するために用いられるデータは、上述のように、一つの数学的モデルと、ユーザーによって入力される一つ以上のパラメータとに基づいて、プロセッサ・モジュール１０２（図１に示す）により形成してもよい。破過時間２０６はプロセッサ・モジュール１０２により決定してもよく、この決定は、破過濃度２１２を計算して、排出濃度プロファイル２０４が破過濃度２１２を越える時間を決定することによる。破過濃度２１２はユーザーによって入力してもよく、或いは、一つ以上のコンピュータ読取り可能な記憶媒体１１０、１１２（図１に示す））から得てもよい。例えば、破過濃度２１２は、上述のように、ユーザーにより入力された職業的な被爆制限及び／又は粒子防護レベルに基づくか、若しくはそれらと実質的に同様としてもよい。
【００８０】
概要ウィンドウ２１４は、一つの実施形態において、ユーザーによって入力されるパラメータ及び／又はプロセッサ・モジュール１０２により計算された破過時間２０６の概要を与える。例えば、概要ウィンドウ２１４は、破過時間２０６、ユーザーによって入力された化学的汚染物質、ユーザーによって入力された化学的濃度入力を列挙してもよい。
【００８１】
ユーザーは、上述の一つ以上のパラメータを複数のパラメータ・ウィンドウ２１６、２１８、２２０，２２２に入力することができる。図示した実施形態においては、ユーザーは、周囲圧力をパラメータ・ウィンドウ２１６へ、呼吸率をパラメータ・ウィンドウ２１８へ、周囲温度をパラメータ・ウィンドウ２２０へ、及び相対湿度をパラメータ・ウィンドウ２２２へ入力することができる。ユーザーは、キーボード、スタイラスなどを用いて、パラメータ・ウィンドウ２１６、２１８、２２０、２２２にテキスト入力してもよく、及び／又はドロップ・ダウン・メニューからパラメータについての値を選択してもよい。例えば、パラメータ・ウィンドウ２１８は、ユーザーに呼気率を選択させるために、ドロップ・ダウン・メニューをユーザーへ与えることができる。ユーザーは、パラメータ・ウィンドウ２１６へ入力される一つ以上のパラメータを変動させて選択して、変動ウィンドウ２２４、２２６、２２８、２３０の一つ以上におけるパラメータ・ウィンドウ２１６、２１８、２２０，２２２へ入力することができる。例えば、ユーザーは異なるウィンドウ２２４、２２６、２２８、２３０のうちの一つへパーセンテージを入力して、一つの対応するパラメータ・ウィンドウ２１６、２１８、２２０，２２２に、一つのパラメータについて許容可能な変動を示すことができる。
【００８２】
一つの実施形態においては、対応する入力パラメータに関連した信頼値は、変動ウィンドウ２２４、２２６、２２８、２３０を用いてユーザーによって入力される。例えば、ユーザーは、図示の実施形態に示すように、パラメータ・ウィンドウ２１６に入力される周囲圧力パラメータについて５％の信頼値を変動ウィンドウ２２４へ、パラメータ・ウィンドウ２１８に入力される呼気率パラメータについて１０％の信頼値を変動ウィンドウ２２６へ、パラメータ・ウィンドウ２２０に入力される温度パラメータについて１０％の信頼値を変動ウィンドウ２２８へ、及びパラメータ・ウィンドウ２２２に入力される湿気パラメータについて５％の信頼値を変動ウィンドウ２３０へ入力することができる。一つ以上のスライダー・バー２３２、２３４、２３６、２３８をユーザーにより移動若しくは操作して、パラメータ・ウィンドウ２１６、２１８、２２０、２２２へ入力される対応するパラメータ値を変えるようにしてもよい。
【００８３】
フィルタ・カートリッジ推奨２４０は、一つの実施形態においては、グラフィカル・ユーザ・インタフェース２００上でユーザーに提示される。上述のように、フィルタ・カートリッジ推奨２４０は、ユーザーから一つ以上の入力パラメータに基づいてプロセッサ・モジュール１０２（図１に示す）により選択されて推奨されたフィルタ・カートリッジを含む。一つの実施形態においては、フィルタ・カートリッジ推奨２４０は、図示の実施形態のように、推奨されたフィルタ・カートリッジの画像として提示することができる。或いは、フィルタ・カートリッジ推奨２４０は、ユーザーによって選択される一つ以上のフィルタ・カートリッジの一つ以上の画像を含んでもよい。フィルタ・カートリッジ・ラベル２４２は、一つの実施形態においては、グラフィカル・ユーザ・インタフェース２００に表示してもよい。例えば、フィルタ・カートリッジ推奨２４０に対応するフィルタ・カートリッジ・ラベル２４２の画像は、グラフィカル・ユーザ・インタフェース２００に表示してもよい。或いは、フィルタ・カートリッジ・ラベル２４２は、ユーザーによって選択されたフィルタ・カートリッジについて、一つ以上のラベルの一つ以上の画像を含んでもよい。
【００８４】
カートリッジ・リスト・ウィンドウ２４４は、一つの実施形態においては、ユーザーにより選択可能なフィルタ・カートリッジのリストを与える。ユーザーは、カートリッジ・リスト・ウィンドウ２４４から、一つ以上のフィルタ・カートリッジを選択し得る。例えば、ユーザーがカートリッジ・リスト・ウィンドウ２４４に与えられた一つ以上のカートリッジを選択することにより、上述のカートリッジ型式パラメータが入力されるようにしてもよい。カートリッジ・リスト・ウィンドウ２４４に列挙されるフィルタ・カートリッジは、上述のように、ユーザーによって入力される一つ以上のカートリッジ選択パラメータに基づいて制限し得る。
【００８５】
汚染物質リスト・ウィンドウ２４６は、一つの実施形態においては、ユーザーにより選択可能な化学的汚染物質のリストを与える。ユーザーは、汚染物質リスト・ウィンドウ２４６から、一つ以上の化学的汚染物質を選択してもよい。例えば、ユーザーが汚染物質リスト・ウィンドウ２４６に与えられる一つ以上の化学的汚染物質を選択することにより、上述の化学的汚染物質パラメータが入力されるようにしてもよい。
【００８６】
一つの実施形態において、汚染物質検索ウィンドウ２４８は、ユーザーが一つ以上の化学的汚染物質をタイプ入力することを可能として、プロセッサ・モジュール１０２が対応する化学的汚染物質を検索する。例えば、化学的汚染物質リスト・ウィンドウ２４６に与えられた化学的汚染物質のリストを閲覧する代わりに、ユーザーが化学的汚染物質の名称を化学的汚染物質検索ウィンドウ２４８にタイプすると、化学的汚染物質パラメータがプロセッサ・モジュール１０２に入力されるようにしてもよい。
【００８７】
化学的濃度ウィンドウ２５０は、ユーザーが上述の化学的濃度パラメータを入力することを可能にする。ユーザーは、変動ウィンドウ２５４を用いて化学的濃度パラメータについて許容可能な変動を入力し得る。一つの実施形態では、ユーザーが変動ウィンドウ２５４に信頼値を入力することは、変動ウィンドウ２２４、２２６、２２８、２３０に関して上述したのと同様である。例えば、ユーザーは、化学的濃度ウィンドウ２５０に入力される化学的濃度パラメータに対応する変動ウィンドウ２５４に０％の信頼値を入力し得る。破過濃度ウィンドウ２５２は、ユーザーが上述の破過濃度２１２を入力することを可能にする。化学的濃度パラメータと破過濃度２１２との一方又は両方は、スライダー・バー２５６、２５８の一方又は両方を摺動させることにより、ユーザーが調節してもよい。
【００８８】
上述のように、一旦プロセッサ・モジュール１０２（図１に示す）が、ユーザーからの入力パラメータに基づいて、排出濃度プロファイル２０４、破過時間２０６及び／又は推奨されたフィルタ・カートリッジ２４０を決定すると、ユーザーが一つ以上の入力パラメータを変化又は更新する際に、プロセッサ・モジュール１０２は排出濃度プロファイル２０４、破過時間２０６及びフィルタ・カートリッジ推奨２４０の一つ以上を動的に変化又は更新し得る。例えば、ユーザーが汚染物質リスト・ウィンドウ２４６中で異なる化学的汚染物質を選択することによって化学的汚染物質パラメータを変えるならば、プロセッサ・モジュール１０２は更新された化学的汚染物質パラメータを受け取って、必要に応じて、この更新された化学的汚染物質パラメータに基づいて、排出濃度プロファイル２０４、破過時間２０６及び／又は推奨されたフィルタ・カートリッジ２４０を更新する。
【００８９】
図３は、一つの実施形態によって、図１に示すシステム１００に一つ以上のパラメータを入力するのに用いられるグラフィカル・ユーザ・インタフェース３００の例示である。グラフィカル・ユーザ・インタフェース２００（図２に示す）と同様に、グラフィカル・ユーザ・インタフェース３００は出力デバイス１０８（図１に示す）にてユーザーへ表示してもよい。ユーザーは、ユーザー・インターフェース１０６（図１に示す）にて入力デバイスを用いて、グラフィカル・ユーザ・インタフェース３００における一つ以上のボタン、スライド、メニュー、リストなどを操作する。図３は入力１０４（図１に示す）をプロセッサ・モジュール１０２へ提示するためのグラフィカル・ユーザ・インタフェースの一つの実施形態を例示するが、異なる配置構成及びグラフ的表示を有するグラフィカル・ユーザ・インタフェースの他の実施形態も可能である。
【００９０】
グラフィカル・ユーザ・インタフェース３００は、複数のスライダー・バー３０２、３０４、３０６、３０８を含み、これらは上述の一つ以上のパラメータを入力するようにユーザーにより操作される。例えば、ユーザーはユーザー・インターフェース１０６（図１に示す）にてマウスなどの入力デバイスを用いて、一つ以上のスライダー・バー３０２、３０４、３０６、３０８、３１０を、一つ以上の入力パラメータに対応する位置へ移動させる。図示の実施形態では、ユーザーは上述したスライダー・バー３０２を移動させて、上述した最小耐用期間を入力することができる。例えば、ユーザーはスライダー・バーを図示のグラフィカル・ユーザ・インタフェース３００の右方向へ移動させて、プロセッサ・モジュール１０２により推奨されて、ユーザーにとっては比較的に重要なフィルタ・カートリッジの最大の耐用期間、又は破過時間を示す。逆に、ユーザーはスライダー・バー３０２を左方向に移動させて、プロセッサ・モジュール１０２により推奨されて、ユーザーにとっては比較的に重要ではないフィルタ・カートリッジの最小の耐用期間、又は破過時間を示す。このスライダー・バー３０２の動作はプロセッサ・モジュール１０２へ入力１０４として伝えられる。プロセッサ・モジュール１０２は快適性指標入力をスライダー・バー３０４を用いて受信し、それに応じて、推奨フィルタ・カートリッジ２４０（図２に示す）としてユーザーに推奨されるフィルタ・カートリッジのリストを限定し得る。例えば、ユーザーがスライダー・バー３０４を用いてフィルタ・カートリッジの快適性指標が比較的に重要であることを示すならば、プロセッサ・モジュール１０２は、推奨し得るフィルタ・カートリッジ候補を比較的に低重量及び／又は低呼気抵抗を有するものに限定してもよい。一方、ユーザーがスライダー・バー３０４を用いてフィルタ・カートリッジの快適性指標が比較的に重要ではないことを示すならば、プロセッサ・モジュール１０２は、フィルタ・カートリッジの重量及び／又は呼気抵抗に基づいて推奨し得るフィルタ・カートリッジ候補を限定しなくともよい。或いは、スライダー・バー３０４を用いるフィルタ・カートリッジの快適性指標の相対的重要性の指示に代えて、このスライダー・バー３０４を快適性指標の入力に用いてもよい。例えば、スライダー・バー３０４をユーザーにより操作してフィルタ・カートリッジの最大重量及び／又は呼気抵抗を入力してもよい。選択的に、スライダー・バー３０４以外の他の入力機構を快適性指標の入力に用いる。例えば、ウィンドウ２１６乃至２２２と同様な一つのウィンドウを用いてもよい。
【００９１】
スライダー・バー３０６は上述したコスト・パラメータの入力に用いることができる。例えば、ユーザーはスライダー・バー３０６をグラフィカル・ユーザー・インターフェース３００内で右方向へ移動させて、プロセッサ・モジュール１０２により推奨されるべきフィルタ・カートリッジの一つが、ユーザーにとっては比較的に重要であることを示すことができる。逆に、ユーザーはスライダー・バー３０６をグラフィカル・ユーザー・インターフェース３００内で左方向へ移動させて、プロセッサ・モジュール１０２により推奨されるべきフィルタ・カートリッジの一つが、ユーザーにとっては比較的に重要ではないことを示すことができる。このスライダー・バー３０６の動作はプロセッサ・モジュール１０２へ入力１０４として伝えられる。プロセッサ・モジュール１０２はコスト・パラメータ入力をスライダー・バー３０６を用いて受信し、それに応じて、推奨フィルタ・カートリッジ２４０（図２に示す）としてユーザーに推奨されるべきフィルタ・カートリッジのリストを限定し得る。例えば、ユーザーがスライダー・バー３０６を用いてフィルタ・カートリッジの価格が比較的に重要であることを示すならば、プロセッサ・モジュール１０２は、推奨し得るフィルタ・カートリッジ候補を比較的に低価格のものに限定してもよい。一方、ユーザーがスライダー・バー３０６を用いてフィルタ・カートリッジの価格が比較的に重要ではないことを示すならば、プロセッサ・モジュール１０２は、フィルタ・カートリッジの価格に基づいて推奨し得るフィルタ・カートリッジ候補を限定しなくともよい。或いは、スライダー・バー３０６を用いるフィルタ・カートリッジの価格の相対的重要性の指示に代えて、このスライダー・バー３０６を通貨価格の入力に用いてもよい。例えば、スライダー・バー３０６をユーザーにより操作してフィルタ・カートリッジの最大価格を入力してもよい。選択的には、スライダー・バー３０６以外の他の入力機構をコスト・パラメータの入力に用いる。例えば、ウィンドウ２１６乃至２２２と同様な一つのウィンドウを用いてもよい。
【００９２】
スライダー・バー３０８は上述した使用柔軟性パラメータの入力に用いることができる。例えば、ユーザーはスライダー・バー３０８をグラフィカル・ユーザー・インターフェース３００内で右方向へ移動させて、プロセッサ・モジュール１０２により推奨されるべきフィルタ・カートリッジの使用柔軟性が、ユーザーにとっては比較的に重要であることを示すことができる。逆に、ユーザーはスライダー・バー３０８をグラフィカル・ユーザー・インターフェース３００内で左方向へ移動させて、プロセッサ・モジュール１０２により推奨されるべきフィルタ・カートリッジの使用柔軟性パラメータが、ユーザーにとっては比較的に重要ではないことを示すことができる。このスライダー・バー３０８の動作はプロセッサ・モジュール１０２へ入力１０４として伝えられる。プロセッサ・モジュール１０２は使用柔軟性パラメータ入力をスライダー・バー３０８を用いて受信し、それに応じて、推奨フィルタ・カートリッジ２４０（図２に示す）としてユーザーに推奨されるべきフィルタ・カートリッジのリストを限定し得る。例えば、ユーザーがスライダー・バー３０８を用いてフィルタ・カートリッジの使用柔軟性パラメータが比較的に重要であることを示すならば、プロセッサ・モジュール１０２は、推奨し得るフィルタ・カートリッジ候補を使用柔軟性が比較的に高いものに限定してもよい。例えば、プロセッサ・モジュール１０２は、フィルタ・カートリッジ候補を、殆ど異なる空気呼吸器と共に使用し得るフィルタ・カートリッジに限定してもよい。一方、ユーザーがスライダー・バー３０８を用いてフィルタ・カートリッジの使用柔軟性パラメータが比較的に重要ではないことを示すならば、プロセッサ・モジュール１０２は、フィルタ・カートリッジの使用柔軟性に基づいて推奨し得るフィルタ・カートリッジ候補を限定しなくともよい。或いは、スライダー・バー３０８を用いるフィルタ・カートリッジの使用柔軟性の相対的重要性の指示に代えて、このスライダー・バー３０８を、推奨フィルタ・カートリッジ２４０（図２に示す）に互換性を有する空気呼吸器の最小数の観点からの使用柔軟性パラメータを入力するために用いてもよい。選択的には、スライダー・バー３０８以外の他の入力機構を使用柔軟性パラメータの入力に用いる。例えば、ウィンドウ２１６乃至２２２と同様な一つのウィンドウを用いてもよい。
【００９３】
図４は、排出濃度プロファイル、破過時間及びフィルタ・カートリッジ推奨のうちの少なくとも一つを決定する方法４００についてのフローチャートである。ブロック４０２において、一つ以上の入力パラメータが受け取られる。例えば、使用状態パラメータ、現場状態パラメータ、及びカートリッジ選択パラメータのうちの一つ以上が、ユーザーによりユーザー・インターフェース１０６へ入力されて、入力１０４としてプロセッサ・モジュール１０２へ伝えられる。ブロック４０４において、一つ以上の入力パラメータは、排出濃度プロファイル、破過時間及びフィルタ・カートリッジ推奨のうちの一つ以上を決定するために用いられる。例えば、上述のディング・モデルを用いて、排出濃度プロファイル２０４（図２に示す）及び破過時間２０６（図２に示す）を上述のように計算してもよい。ブロック４０６において、排出濃度プロファイル、破過時間及びフィルタ・カートリッジ推奨のうちの一つ以上がユーザーへ表示される。例えば、フィルタ・カートリッジ推奨２４０（図２に示す）の画像を出力デバイス１０８でユーザーへ表示してもよい。ブロック４０８においては、ブロック４０２で受け取られたパラメータの何れかが更新されたか否か、及び／又は更なるパラメータが受け取られたか否かに関しての判定がなされる。一つ以上のパラメータが更新されたか或いは一つ以上の更なるパラメータが受け取られているならば、方法４００はブロック４０８とブロック４１０との間で進行する。更新されたパラメータが無いか或いは更なるパラメータが受け取られなかったのであれば、方法４００は終了する。ブロック４１０においては、更新された排出濃度プロファイル、破過時間及び／又はフィルタ・カートリッジ推奨が決定される。例えば、一つ以上のパラメータに対する変化又は更新、或いは更なるパラメータの追加は、ブロック４０４で決定される排出濃度プロファイル、破過時間及び／又はフィルタ・カートリッジ推奨に影響を及ぼすこともあろう。更新された及び／又は更なる一つ以上のパラメータは、ブロック４１０において、更新された排出濃度プロファイル、破過時間及び／又はフィルタ・カートリッジ推奨を決定するために、計算に入れて用いられる。ブロック４１２においては、更新された排出濃度プロファイル、破過時間及び／又はフィルタ・カートリッジ推奨が表示される。例えば、排出濃度プロファイル及び／又は破過時間の更新されたプロットを出力デバイス１０８に表示してもよい。方法４００は、ブロック４１２とブロック４０８との間で進行する。
【００９４】
図５は、本明細書に記載された一つ以上の実施形態をコンピュータ読取り可能媒体に記憶、配布及びインストールし得る例示的な方式のブロック図を示す。図５において、「アプリケーション」とは、上述の方法及び処理操作の一つ以上を表す。例えば、アプリケーションは、図４に関連して上述したように実行される処理を表してもよい。
【００９５】
図５に示すように、アプリケーションは、先ずソース・コード５０２として生成されて、ソース・コンピュータ読取り可能媒体５０４に記憶される。次いでソース・コード５０２は、経路５０６を経てから、オブジェクト・コード５１０を生成するためにコンパイラ５０８によって処理される。オブジェクト・コード５１０は経路５１２上で移送されて、一つ以上のアプリケーション・マスターとして、マスター・コンピュータ読取り可能媒体５１４に保存される。次いで、経路５１６によって示すように、オブジェクト・コード５１０は何度もコピーされて、製品アプリケーションー・コピー５１８を生産し、これらは別々の製品コンピュータ読取り可能媒体５２０に保存される。この製品コンピュータ読取り可能媒体５２０は、経路５２２で示されるように、様々なシステム、デバイス、端末などへ伝達される。図５の例において、ユーザー端末５２４、デバイス５２６及びシステム５２８は、ハードウェア構成要素の例として示されており、これらには製品コンピュータ読取り可能媒体５２０が（５３０、５３２，５３４で示すように）アプリケーションとしてインストールされている。
【００９６】
ソース・コードは、スクリプトとして書かれていてもよく、或いは任意の高水準若しくは低水準言語で書かれていてもよい。ソース、マスター、及び製品コンピュータ読取り可能媒体５０２、５１４及び５２０の例としては、ＣＲＯＭ、ＲＡＭ、ＲＯＭ、フラッシュメモリ、ＲＡＩＤドライブ、コンピュータ・システム上のメモリなどが挙げられるが、これらに限定されるものではない。経路５０６、５１２、５１６、及び５２２の例としては、ネットワーク経路、インターネット、ブルートゥース、ＧＳＭ、赤外線、無線ＬＡＮ、ＨＩＰＥＲＬＡＮ、３Ｇ、衛星中継などが挙げられるが、これらに限定されるものではない。これらの経路５０６、５１２.５１６及び５２２は、公的又は私的なキャリヤー・サービスに相当するものとしてもよく、これは即ち地理的な二つの位置の間で、ソース、マスター、又は製品コンピュータ読取り可能な媒体５０２、５１４又は５２０の一つ以上の物理的コピーを移送する。これらの経路５０６、５１２、５１６及び５２２は、一つ以上のプロセッサにより並行に実行されるスレッドとしてもよい。例えば、一台のコンピュータは、ソース・コード５０２、コンパイラ５０８及びオブジェクト・コード５１０を保持するであろう。複数台のコンピュータを並行に作動させて、製品アプリケーション・コピー５１８を生産してもよい。これらの経路５０６、５１２、５１６、及び５２２は、自治区内、自治区外、国内、国外、大陸内、大陸外などとしてもよい。
【００９７】
図５に示された操作は、世界的に広く配信された方式で実行して、その一部のみをアメリカ合衆国内で実行するようにしてもよい。例えば、アプリケーション・ソース・コード５０２は、アメリカ合衆国内で書いて、且つアメリカ合衆国内でソース・コンピュータ読取り可能な媒体５０４に保存してもよいが、コンパイル、コピー、及びインストールの前に他の国へ移送してもよい（経路５０６に相当）。或いは、アプリケーション・ソース・コード５０２をアメリカ合衆国の国内又は国外で書いて、これをアメリカ合衆国内に位置するコンプライア５０８にてコンパイルして、且つアメリカ合衆国内でマスター・コンピュータ読取り可能媒体５１４に保存してもよいが、オブジェクト・コード５１０は、コピー、及びインストールの前に他の国へ移送してもよい（経路５１６に相当）。或いは、アプリケーション・ソース・コード５０２とオブジェクト・コード５１０とをアメリカ合衆国の国内又は国外で生産して、製品アプリケーション・コピー５１８をアメリカ合衆国の国内又は国外に位置するユーザー端末５２４、デバイス５２６、及び／又はシステム５２８にアプリケーション５３０，５３２、５３４としてインストールする前に、製品アプリケーション・コピー５１８をアメリカ合衆の国内で生産するか又はアメリカ合衆国へ（例えば、段階的操作の一部として）移送してもよい。
【００９８】
本明細書及び特許請求の範囲を通じて、語句「コンピュータ読取り可能な媒体」及び「構成させる指令」とは、以下のうちの何れか一つ又は全てを意味する。即ち、ｉ）ソース・コンピュータ読取り可能な媒体５０４及びソース・コード５０２、ｉｉ）マスター・コンピュータ読取り可能な媒体及びオブジェクト・コード５１０、ｉｉｉ）製品コンピュータ読取り可能な媒体５２０及び製品アプリケーション・コピー５１８、及び／又はｉｖ）端末５２４，デバイス５２６及びシステム５２８内のメモリーに保存されたアプリケーション５３０，５３２，５３４である。
【００９９】
上述の説明は例示を意図したものであって、限定目的ではないことを理解されたい。例えば、上述の実施形態（及び／又はその態様）は互いに組み合わせて用いてもよい。更に、幾多の変更例が、本発明の要旨を逸脱することなく、特定の状態又は材料を本発明の教示に適合させてなし得るであろう。本明細書に記載された材料の寸法及び型式は発明のパラメータを規定することを意図しているが、これらは決して限定的なものではなく、例示的な実施形態である。多くの他の実施形態は当業者が上述の説明を検討することにより明白になろう。従って、本発明の要旨は、添付の特許請求の範囲をそれに付与される均等物の全範囲に沿って参照することにより決定されねばならない。添付の請求項において、用語「含む（ｉｎｃｌｕｄｉｎｇ）」及び「において（ｉｎ  ｗｈｉｃｈ）は、それぞれ用語「備える（ｃｏｍｐｒｉｓｉｎｇ）」及び「そこで（ｗｈｅｒｅｉｎ）」と均等なプレイン・イングリッシュとして用いられている。更に、以下の請求項では、用語「第１」、「第２」、「第３」等は、単に区別として用いられているのであって、それらの対象に数値的限定を与えることを意図したものではない。また、以下の請求項の限定は、手段及び機能形式で記載されたものではなく、その請求項が語句「ための手段」の前の更なる構造を伴わない機能の表明として明示的に限定されたものでなければ、米国特許法第１１２条第６項に基づいて解釈されることを意図したものではない。
【０１００】
この説明文は、最良の態様を含めて本発明を開示し、またデバイス又はシステムの製作及び使用並びにそれに組み込まれた方法の実行を含めて当業者に本発明を実行可能にするための例として用いられている。本発明の特許性を有する要旨は請求項によって規定されており、当業者に想到し得る他の例も包含し得る。そのような例は、それらの他の例は、それらが請求項の文言とは違わない構造的要素を有していても、或いは、それらが請求項の文言とは僅かに異なる均等的要素を有していても、請求項の範囲内にあることが意図される。
【図１】
2011523572.tif 000018
【図２】
2011523572.tif 000019
【図３】
2011523572.tif 000020
【図４】
2011523572.tif 000021
【図５】
2011523572.tif 000022
【図６】
2011523572.tif 000023